(57)【特許請求の範囲】
【請求項１】
放送局から送信される放送信号を受信する放送信号受信手段と、
少なくとも放送局を設定する設定手段と、
上記設定された放送局が放送中の番組のタイトル、放送日時、及び当該番組内で放送中のコンテンツのタイトル、当該コンテンツの放送開始日時を含む放送中コンテンツ情報を要求するための要求情報を外部装置に所定間隔で送信すると共に、当該要求情報に応じて当該外部装置から返信された上記放送中コンテンツ情報を所定間隔で受信する通信手段と、
上記通信手段により受信された上記放送中コンテンツ情報が、前回受信された放送中コンテンツ情報と異なっている場合に、今回受信された放送中コンテンツ情報を記録部に記録する放送中コンテンツ情報記録手段と、
上記記録部に蓄積された放送中コンテンツ情報を番組のタイトル及び放送時間毎にまとめて過去の番組表を生成する番組表生成手段と、
上記番組表生成手段により生成された過去の番組表から番組が選択されると、当該番組の過去の放送日時に基づいて、当該番組の未来の放送日時に対応する記録開始時刻と記録終了時刻とを設定する時刻設定手段と、
現在時刻を出力するタイマーと、
上記放送信号受信手段により受信された放送信号を、放送データとして記録媒体に記録する放送データ記録手段と、
上記時刻設定手段により設定された上記記録開始時刻と上記タイマーからの出力が一致したとき、上記放送データ記録手段が上記放送データの上記記録媒体への記録を開始し、上記記録終了時刻と上記タイマーからの出力が一致したとき、上記放送データ記録手段が上記放送データの上記記録媒体への記録を終了するように制御する制御手段と
を具える記録装置。
【請求項２】
上記通信手段は、
上記指定された放送局毎に異なる一以上の上記外部装置から、上記放送中コンテンツ情報を受信する
請求項１に記載の記録装置。
【請求項３】
上記番組表生成手段は、
上記タイマーからの出力に基づき一日毎に、上記記録部に蓄積された過去一日分の放送中コンテンツ情報を番組のタイトル及び放送時間毎にまとめて上記番組表を生成する
請求項１に記載の記録装置。
【請求項４】
少なくとも放送局を設定手段が設定する設定ステップと、
上記設定ステップで設定した放送局が放送中の番組のタイトル、放送日時、及び当該番組内で放送中のコンテンツのタイトル、当該コンテンツの放送開始日時を含む放送中コンテンツ情報を要求するための要求情報を外部装置に通信手段が所定間隔で送信すると共に、当該要求情報に応じて当該外部装置から返信された上記放送中コンテンツ情報を通信手段が所定間隔で受信する通信ステップと、
上記通信ステップで受信した上記放送中コンテンツ情報が、前回受信した放送中コンテンツ情報と異なっている場合に、今回受信した放送中コンテンツ情報を放送中コンテンツ情報記録手段が記録部に記録する放送中コンテンツ記録ステップと、
上記記録部に蓄積された放送中コンテンツ情報を番組のタイトル及び放送時間毎にまとめて過去の番組表を番組表生成手段が生成する番組表生成ステップと、
上記番組表生成ステップで生成した過去の番組表から番組が選択されると、当該番組の過去の放送日時に基づいて、当該番組の未来の放送日時に対応する記録開始時刻と記録終了時刻とを時刻設定手段が設定する時刻設定ステップと、
放送データ記録手段が、上記時刻設定ステップで設定した上記記録開始時刻とタイマーから出力される現在時刻とが一致したとき、放送信号受信手段が受信した放送局から放送される放送信号を放送データとして記録媒体に記録し始め、上記記録終了時刻と上記タイマーから出力される現在時刻とが一致したとき、上記放送データの上記記録媒体への記録を終了する記録ステップと
を具える記録方法。
【請求項５】
情報処理装置に対して、
少なくとも放送局を設定手段が設定する設定ステップと、
上記設定ステップで設定した放送局が放送中の番組のタイトル、放送日時、及び当該番組内で放送中のコンテンツのタイトル、当該コンテンツの放送開始日時を含む放送中コンテンツ情報を要求するための要求情報を外部装置に通信手段が所定間隔で送信すると共に、当該要求情報に応じて当該外部装置から返信された上記放送中コンテンツ情報を通信手段が所定間隔で受信する通信ステップと、
上記通信ステップで受信した上記放送中コンテンツ情報が、前回受信した放送中コンテンツ情報と異なっている場合に、今回受信した放送中コンテンツ情報を放送中コンテンツ情報記録手段が記録部に記録する放送中コンテンツ記録ステップと、
上記記録部に蓄積された放送中コンテンツ情報を番組のタイトル及び放送時間毎にまとめて過去の番組表を番組表生成手段が生成する番組表生成ステップと、
上記番組表生成ステップで生成した過去の番組表から番組が選択されると、当該番組の過去の放送日時に基づいて、当該番組の未来の放送日時に対応する記録開始時刻と記録終了時刻とを時刻設定手段が設定する時刻設定ステップと、
放送データ記録手段が、上記時刻設定ステップで設定した上記記録開始時刻とタイマーから出力される現在時刻とが一致したとき、放送信号受信手段が受信した放送局から放送される放送信号を放送データとして記録媒体に記録し始め、上記記録終了時刻と上記タイマーから出力される現在時刻とが一致したとき、上記放送データの上記記録媒体への記録を終了する記録ステップと
を実行させるための記録プログラム。
【発明の詳細な説明】
【技術分野】
【０００１】
本発明は記録装置に関し、例えばラジオ番組の番組音声を録音する録音装置に適用して好適なものである。
【背景技術】
【０００２】
近年、記録装置としてラジオ番組の番組音声を録音する録音装置や、テレビジョン番組の番組映像を録画する録画装置が広く普及している。
【０００３】
かかる録音装置としては、ユーザに放送局及び時刻を指定させ、その時刻に指定された放送局を選局して、当該放送局で放送されるラジオ番組の番組音声を録音するものがある。
【０００４】
一方、かかる録画装置としては、テレビジョン番組の概要となる番組タイトルや放送日時等が記述された電子番組ガイド情報を放送衛星から取得し、この電子番組ガイド情報を所定の表示部に表示してユーザに所望のテレビジョン番組を選択させ、この選択されたテレビジョン番組の番組映像を録画するものがある（例えば特許文献１参照）。
【特許文献１】特開平１１−２８４９６２号公報
【発明の開示】
【発明が解決しようとする課題】
【０００５】
ところで、かかる録音装置においては、ラジオ番組に関する情報をユーザに呈示することができないため、ラジオ番組の録音前にユーザが新聞や雑誌に掲載されたラジオ番組表等を参照して所望のラジオ番組を放送する放送局及び放送時刻を確認しておく必要がある。
【０００６】
一方、かかる録画装置においては、テレビジョン番組に関する電子番組ガイド情報をユーザに呈示し得るようになされているものの、この電子番組ガイド情報には各テレビジョン番組の番組タイトルや放送日時等の概要しか含まれていないため、ユーザがこの電子番組ガイド情報を参照しても、各テレビジョン番組の詳細についてまでは知り得ない。
【０００７】
従ってユーザは、この電子番組ガイド情報からテレビジョン番組の内容を推測して、録画するテレビジョン番組を選択していた。
【０００８】
このようにかかる記録装置においては、番組の詳細をユーザに呈示することができず、記録対象とする番組を的確に選択させることができない問題があった。
【０００９】
本発明は以上の点を考慮してなされたもので、記録対象とする番組を一段と的確に選択させ得る記録装置、記録方法及び記録プログラムを提案しようとするものである。
【課題を解決するための手段】
【００１０】
かかる課題を解決するため本発明の番組検索装置においては、放送局から送信される放送信号を受信する放送信号受信手段と、少なくとも放送局を設定する設定手段と、設定された放送局が放送中の番組のタイトル、放送日時、及び当該番組内で放送中のコンテンツのタイトル、当該コンテンツの放送開始日時を含む放送中コンテンツ情報を要求するための要求情報を外部装置に所定間隔で送信すると共に、当該要求情報に応じて当該外部装置から返信された放送中コンテンツ情報を所定間隔で受信する通信手段と、通信手段により受信された放送中コンテンツ情報が、前回受信された放送中コンテンツ情報と異なっている場合に、今回受信された放送中コンテンツ情報を記録部に記録する放送中コンテンツ情報記録手段と、記録部に蓄積された放送中コンテンツ情報を番組のタイトル及び放送時間毎にまとめて過去の番組表を生成する番組表生成手段と、番組表生成手段により生成された過去の番組表から番組が選択されると、当該番組の過去の放送日時に基づいて、当該番組の未来の放送日時に対応する記録開始時刻と記録終了時刻とを設定する時刻設定手段と、現在時刻を出力するタイマーと、放送信号受信手段により受信された放送信号を、放送データとして記録媒体に記録する放送データ記録手段と、時刻設定手段により設定された記録開始時刻とタイマーからの出力が一致したとき、放送データ記録手段が放送データの記録媒体への記録を開始し、記録終了時刻とタイマーからの出力が一致したとき、記録手段が放送データの記録媒体への記録を終了するように制御する制御手段とを設けるようにした。
【００１１】
また本発明の記録方法においては、少なくとも放送局を設定手段が設定する設定ステップと、設定ステップで設定した放送局が放送中の番組のタイトル、放送日時、及び当該番組内で放送中のコンテンツのタイトル、当該コンテンツの放送開始日時を含む放送中コンテンツ情報を要求するための要求情報を外部装置に通信手段が所定間隔で送信すると共に、当該要求情報に応じて当該外部装置から返信された放送中コンテンツ情報を通信手段が所定間隔で受信する通信ステップと、通信ステップで受信した放送中コンテンツ情報が、前回受信した放送中コンテンツ情報と異なっている場合に、今回受信した放送中コンテンツ情報を放送中コンテンツ情報記録手段が記録部に記録する放送中コンテンツ記録ステップと、記録部に蓄積された放送中コンテンツ情報を番組のタイトル及び放送時間毎にまとめて過去の番組表を番組表生成手段が生成する番組表生成ステップと、番組表生成ステップで生成した過去の番組表から番組が選択されると、当該番組の過去の放送日時に基づいて、当該番組の未来の放送日時に対応する記録開始時刻と記録終了時刻とを時刻設定手段が設定する時刻設定ステップと、放送データ記録手段が、時刻設定ステップで設定した記録開始時刻とタイマーから出力される現在時刻とが一致したとき、放送信号受信手段が受信した放送局から放送される放送信号を放送データとして記録媒体に記録し始め、記録終了時刻とタイマーから出力される現在時刻とが一致したとき、放送データの記録媒体への記録を終了する記録ステップとを設けるようにした。
【００１２】
さらに本発明の記録プログラムにおいては、情報処理装置に対して、少なくとも放送局を設定手段が設定する設定ステップと、設定ステップで設定した放送局が放送中の番組のタイトル、放送日時、及び当該番組内で放送中のコンテンツのタイトル、当該コンテンツの放送開始日時を含む放送中コンテンツ情報を要求するための要求情報を外部装置に通信手段が所定間隔で送信すると共に、当該要求情報に応じて当該外部装置から返信された放送中コンテンツ情報を通信手段が所定間隔で受信する通信ステップと、通信ステップで受信した放送中コンテンツ情報が、前回受信した放送中コンテンツ情報と異なっている場合に、今回受信した放送中コンテンツ情報を放送中コンテンツ情報記録手段が記録部に記録する放送中コンテンツ記録ステップと、記録部に蓄積された放送中コンテンツ情報を番組のタイトル及び放送時間毎にまとめて過去の番組表を番組表生成手段が生成する番組表生成ステップと、番組表生成ステップで生成した過去の番組表から番組が選択されると、当該番組の過去の放送日時に基づいて、当該番組の未来の放送日時に対応する記録開始時刻と記録終了時刻とを時刻設定手段が設定する時刻設定ステップと、放送データ記録手段が、時刻設定ステップで設定した記録開始時刻とタイマーから出力される現在時刻とが一致したとき、放送信号受信手段が受信した放送局から放送される放送信号を放送データとして記録媒体に記録し始め、記録終了時刻とタイマーから出力される現在時刻とが一致したとき、放送データの記録媒体への記録を終了する記録ステップとを実行させるようにした。
【００１３】
このように放送局が放送中の番組のタイトルや放送日時といった放送中の番組の概要と、番組内で放送中のコンテンツのタイトルや放送開始日時といった放送中の番組の詳細とを含む放送中コンテンツ情報を定期的に受信して蓄積していき、蓄積した放送中コンテンツ情報を番組のタイトル及び放送時間毎にまとめて過去の番組表を生成し、当該過去の番組表から番組が選択されると、選択された番組の過去の放送日時に基づいて、当該番組の未来の放送日時に対応する記録開始時刻と記録終了時刻とを設定して番組を記録するようにしたことにより、番組表が提供されていない環境でも、蓄積した放送中コンテンツ情報を利用して番組の概要及び詳細を含む番組表を自動生成し、当該番組表から記録対象とする番組をユーザに選択させて当該番組を後の放送日時に記録することができる。
【発明の効果】
【００１４】
本発明によれば、放送局が放送中の番組のタイトルや放送日時といった放送中の番組の概要と、番組内で放送中のコンテンツのタイトルや放送開始日時といった放送中の番組の詳細とを含む放送中コンテンツ情報を定期的に受信して蓄積していき、蓄積した放送中コンテンツ情報を番組のタイトル及び放送時間毎にまとめて過去の番組表を生成し、当該過去の番組表から番組が選択されると、選択された番組の過去の放送日時に基づいて、当該番組の未来の放送日時に対応する記録開始時刻と記録終了時刻とを設定して番組を記録するようにしたことにより、番組表が提供されていない環境でも、蓄積した放送中コンテンツ情報を利用して番組の概要及び詳細を含む番組表を自動生成し、当該番組表から記録対象とする番組をユーザに選択させて当該番組を後の放送日時に記録することができ、かくして記録対象とする番組を一段と的確に選択させ得る記録装置、記録方法及び記録プログラムを実現できる。
【発明を実施するための最良の形態】
【００１５】
以下図面について、本発明の実施の形態を詳述する。
【００１６】
（１）音楽関連サービス提供システム
（１−１）システム構成
図１において、１は全体として音楽関連サービス提供システムを示し、この音楽関連サービス提供システム１の運営業者と契約しているユーザのクライアント端末２と、当該クライアント端末２を管理するポータルサーバ３と、当該クライアント端末２に対して音楽に関する各種サービスを提供する複数のサーバＳＶ１乃至ＳＶ５とを有している。
【００１７】
この実施の形態の場合、音楽データ配信サーバＳＶ１は、ＡＴＲＡＣ３（Ａｄａｐｔｉｖｅ  Ｔｒａｎｓｆｏｒｍ  Ａｃｏｕｓｔｉｃ  Ｃｏｄｉｎｇ  ３）、ＡＡＣ（Ａｄｖａｎｃｅｄ  Ａｕｄｉｏ  Ｃｏｄｉｎｇ）、ＷＭＡ（Ｗｉｎｄｏｗｓ（登録商標）  Ｍｅｄｉａ  Ａｕｄｉｏ）、ＲｅａｌＡＵＤＩＯ  Ｇ２  Ｍｕｓｉｃ  Ｃｏｄｅｃ、ＭＰ３（ＭＰＥＧ  Ａｕｄｉｏ  Ｌａｙｅｒ−３）形式等でなる音楽データをクライアント端末２に配信する音楽データ配信サービスを提供する。
【００１８】
また物販サーバＳＶ２は、ＣＤ（Ｃｏｍｐａｃｔ  Ｄｉｓｃ）やＤＶＤ（Ｄｉｇｉｔａｌ  Ｖｅｒｓａｔｉｌｅ  Ｄｉｓｃ）等をクライアント端末２を介してユーザに販売する物販サービスを提供する。
【００１９】
さらにラジオ放送情報配信サーバＳＶ３は、ラジオ局を介して放送されているラジオ放送のラジオ番組や音楽等についてのラジオ放送情報をクライアント端末２に配信するラジオ放送情報配信サービスを提供する。
【００２０】
さらにインターネットラジオサーバＳＶ４は、インターネットに相当するネットワークＮＴを介してラジオ放送データをストリーミング配信の形態でクライアント端末２に向けて放送するインターネットラジオ放送サービスを提供する。
【００２１】
これに加えて課金サーバＳＶ５は、ポータルサーバ３等からの要求に応じてユーザに対し様々な料金を課すための課金処理を実行するようになされている。
【００２２】
（１−２）クライアント端末２の構成
（１−２−１）クライアント端末２の機能回路ブロック構成
次にクライアント端末２の機能回路ブロックによるハードウェア構成を説明する。
【００２３】
図２に示すようにクライアント端末２は、その筐体表面やリモートコントローラ（図示せず）に設けられた各種操作ボタンでなる操作入力部２０がユーザによって操作されると、当該操作入力部２０でこれを認識し、当該操作に応じた操作入力信号を入力処理部２１に送出する。
【００２４】
入力処理部２１は、操作入力部２０から与えられる操作入力信号を特定の操作コマンドに変換しバス２２を介して制御部２３に送出する。
【００２５】
制御部２３は、バス２２を介して接続された各回路から与えられる操作コマンドや制御信号に基づいてこれら各回路の動作を制御する。
【００２６】
表示制御部２４は、バス２２を介して供給される映像データに対してディジタルアナログ変換処理を施し、その結果得られるアナログ映像信号を表示部２５に送出する。
【００２７】
表示部２５は、例えば液晶ディスプレイ等の表示デバイスであって、筐体表面に直接取り付けられている場合や外付けされている場合がある。
【００２８】
そして表示部２５は、制御部２３による処理結果や各種映像データが表示制御部２４を介してアナログ映像信号として供給されると、当該アナログ映像信号に基づく映像を表示する。
【００２９】
音声制御部２６は、バス２２を介して供給される音声データに対してディジタルアナログ変換処理を施し、その結果得られるアナログ音声信号をスピーカ２７に送出する。
【００３０】
スピーカ２７は、音声制御部２６から供給されるアナログ音声信号に基づく音声を出力する。
【００３１】
外部記録媒体記録再生部２８は、ＣＤに記録されているコンテンツデータや、フラッシュメモリが外装ケースに内包されたメモリスティック（登録商標）等の外部記録媒体に記録されているコンテンツデータを読み出して再生し、又は当該外部記録媒体に対し記録対象のコンテンツデータを記録する記録再生部である。
【００３２】
外部記録媒体記録再生部２８は、外部記録媒体からコンテンツデータとして映像データを読み出したとき、当該読み出した映像データをバス２２を介して表示制御部２４に供給する。
【００３３】
これにより表示制御部２４は、外部記録媒体記録再生部２８により外部記録媒体からコンテンツデータとして読み出された映像データをアナログ映像信号に変換して表示部２５に供給する。
【００３４】
また外部記録媒体記録再生部２８は、外部記録媒体からコンテンツデータとして音声データを読み出したとき、当該読み出した音声データをバス２２を介して音声制御部２６に供給する。
【００３５】
これにより音声制御部２６は、外部記録媒体記録再生部２８により外部記録媒体からコンテンツデータとして読み出された音声データをアナログ音声信号に変換してスピーカ２７に供給する。
【００３６】
さらに制御部２３は、外部記録媒体記録再生部２８により外部記録媒体から読み出されたコンテンツデータをバス２２を介してクライアント端末２内部の記憶媒体２９に送出し、その記憶媒体２９に対して当該コンテンツデータを記憶する（以下、このようにコンテンツデータを記憶媒体２９に記憶することをリッピングと呼ぶ）ことができる。
【００３７】
そして制御部２３は、記憶媒体２９からコンテンツデータとしてイメージデータ又はビデオデータ等の映像データを読み出したときには、当該読み出した映像データをバス２２を介して表示制御部２４に供給する。
【００３８】
また制御部２３は、記憶媒体２９からコンテンツデータとしてオーディオデータ等の音声データを読み出したときには、当該読み出した音声データをバス２２を介して音声制御部２６に供給する。
【００３９】
これに加えて制御部２３は、記憶媒体２９から音楽データを読み出して外部記録媒体記録再生部２８に転送することにより当該外部記録媒体記録再生部２８により外部記録媒体に対しその音楽データを記録させることもできる。
【００４０】
放送信号受信部３０は、各ラジオ局から送信されるラジオ放送波を受信し、チューナ部３１に供給する。
【００４１】
チューナ部３１は、制御部２３の制御のもと、放送信号受信部３０を介して受信されたラジオ放送波の中から例えば操作入力部２０を介して指定されたラジオ局に対応する放送周波数のラジオ放送信号を抽出して所定の受信処理を施し、この結果得られる音声データをバス２２を介して音声制御部２６に送出する。
【００４２】
音声制御部２６は、チューナ部３１から与えられた音声データをアナログ音声信号に変換してスピーカ２７に送出することにより、当該スピーカ２７からラジオ局で放送されているラジオ番組の番組音声を出力させ、かくしてユーザに対しラジオ番組の番組音声を聴取させることができる。
【００４３】
また制御部２３は、チューナ部３１で得られた音声データを記憶媒体２９に送出して記憶することにより、ラジオ番組の番組音声を録音することもできる。
【００４４】
さらに制御部２３は、通信制御部３２及びネットワークインタフェース３３を順次介してネットワークＮＴに接続し、当該ネットワークＮＴ上のポータルサーバ３やその他サーバＳＶ１乃至ＳＶ４にアクセスすることができ、これによりポータルサーバ３やその他サーバＳＶ１乃至ＳＶ４との間で各種情報や各種データを送受信する。
【００４５】
エンコーダ／デコーダ部３４は、ネットワークＮＴからネットワークインタフェース３３及び通信制御部３２を順次介して受信された圧縮符号化されているコンテンツデータ、あるいは記憶媒体２９や外部記録媒体から読み出された圧縮符号化されているコンテンツデータを復号し表示制御部２４や音声制御部２６に送出する。
【００４６】
またエンコーダ／デコーダ部３４は、外部記録媒体から読み出された圧縮符号化されてはいないコンテンツデータや、チューナ部３１から与えられる音声データ等を圧縮符号化し、当該圧縮符号化したコンテンツデータを記憶媒体２９に送出する。
【００４７】
これによりエンコーダ／デコーダ部３４で圧縮符号化されたコンテンツデータは、制御部２３の制御のもと記憶媒体２９に記憶される。
【００４８】
著作権管理部３５は、ネットワークＮＴからネットワークインタフェース３３及び通信制御部３２を順次介してダウンロードされるコンテンツデータに対応する著作権管理情報や、外部記録媒体記録再生部２８により外部記録媒体から読み出されたコンテンツデータに対応する著作権管理情報を生成する。
【００４９】
著作権管理部３５で生成された著作権管理情報は、制御部２３の制御のもとにコンテンツデータと対応付けられて記憶媒体２９に登録される。
【００５０】
また著作権管理部３５は、記憶媒体２９と特定の外部記録媒体との間で著作権管理情報を対応付けたコンテンツデータをチェックアウトするときや、当該特定の外部記録媒体と記憶媒体２９との間で当該著作権管理情報を対応付けたコンテンツデータをチェックインするときに、当該コンテンツデータに対応する著作権管理情報の内容を適切に更新することにより、そのコンテンツデータに対する著作権を保護する。
【００５１】
ページ情報生成部３６は、ネットワークＮＴからネットワークインタフェース３３及び通信制御部３２を順次介して受信されたＸＭＬ（ｅＸｔｅｎｓｉｂｌｅＭａｒｋｕｐ  Ｌａｎｇｕａｇｅ）ファイル、あるいはＨＴＭＬ（Ｈｙｐｅｒ  Ｔｅｘｔ  Ｍａｒｋｕｐ  Ｌａｎｇｕａｇｅ）ファイル等のページ情報を解釈して表示部２５に表示するための映像データを生成し、当該生成した映像データを表示制御部２４に送出する。
【００５２】
認証処理部３７は、ネットワークインタフェース３３を介して接続されるネットワークＮＴ上のポータルサーバ３やその他サーバＳＶ１乃至ＳＶ４に対し認証情報を通信制御部３２及びネットワークインタフェース３３を順次介して送信する等の認証処理を実行する。
【００５３】
認証情報記憶部３８は、認証処理部３７がポータルサーバ３やその他サーバＳＶ１乃至ＳＶ４に対しアクセスするときに必要となる認証情報を記憶する。
【００５４】
ラジオ放送表示制御部３９は、現在、ユーザによる聴取用に受信中のラジオ放送に関するラジオ放送情報を要求するための要求信号を通信制御部３２及びネットワークインタフェース３３を順次介して、当該受信中のラジオ放送を放送しているラジオ局に対応するラジオ放送情報配信サーバＳＶ３に送信する。
【００５５】
その結果、ラジオ放送表示制御部３９は、ネットワークＮＴ上のラジオ放送情報配信サーバＳＶ３から送信されたラジオ放送情報をネットワークインタフェース３３及び通信制御部３２を順次介して受信すると共に、当該受信したラジオ放送情報を表示制御部２４に送出することにより表示部２５に対し、現在受信中のラジオ番組の番組名や、当該受信中の楽曲のタイトル及びアーティスト名等からなるラジオ放送情報を表示させる。
【００５６】
（１−２−２）ディレクトリ管理
クライアント端末２の制御部２３は、記憶媒体２９に対して記憶するコンテンツデータを、図３に示すディレクトリ構成で管理する。
【００５７】
まず「ｒｏｏｔ」ディレクトリの下層に対しては、規定範囲内での任意の数の「ｆｏｌｄｅｒ」ディレクトリが作成される。
【００５８】
この「ｆｏｌｄｅｒ」ディレクトリは、例えばコンテンツが属するジャンル、又は所有ユーザ等に対応して作成される。
【００５９】
この「ｆｏｌｄｅｒ」ディレクトリの下層には、規定範囲内での任意の数の「ａｌｂｕｍ」ディレクトリが作成され、当該「ａｌｂｕｍ」ディレクトリは例えば１つのアルバムタイトル毎に対応するようになされている。
【００６０】
この「ａｌｂｕｍ」ディレクトリの下層においては、その「ａｌｂｕｍ」ディレクトリに属するとされる１以上の「ｔｒａｃｋ」ファイルが格納され、この「ｔｒａｃｋ」ファイルが１つの楽曲すなわちコンテンツとなるものである。
【００６１】
このようなコンテンツデータについてのディレクトリ管理は、記憶媒体２９に記憶されているデータベースファイルによって行われる。
【００６２】
（１−３）ポータルサーバ３の機能回路ブロック構成
次に、図４を用いてポータルサーバ３の機能回路ブロックによるハードウェア構成を説明する。
【００６３】
ポータルサーバ３内の制御部５０は、バス５１を介して接続される各回路の動作を制御する。
【００６４】
通信制御部５２は、制御部５０の制御のもと、ネットワークインタフェース５３を介してクライアント端末２やその他サーバＳＶ１乃至ＳＶ５と各種情報を送受信する。
【００６５】
顧客データベース部５４には、音楽関連サービス提供システム１の運営業者とすでに契約を完了しているユーザのユーザＩＤ（Ｉｄｅｎｔｉｆｉｃａｔｉｏｎ）情報とパスワード情報とが対応付けられて顧客情報として登録されている。
【００６６】
ページ情報記憶部５５には、音楽関連サービス提供システム１の運営業者が管理するページ情報等が記憶されている。
【００６７】
なおページ情報は、ＸＭＬ等の言語によって記述されており、音楽データ配信サーバＳＶ１、物販サーバＳＶ２、ラジオ放送情報配信サーバＳＶ３及びインターネットラジオサーバＳＶ４等にアクセスするためのＵＲＬ（Ｕｎｉｆｏｒｍ  Ｒｅｓｏｕｒｃｅ  Ｌｏｃａｔｏｒ）情報を含んでいる。
【００６８】
認証処理部５６は、クライアント端末２から送信されたユーザＩＤ情報及びパスワード情報をネットワークインタフェース５３及び通信制御部５２を順次介して受信すると、ユーザ認証処理として、当該受信したユーザＩＤ情報及びパスワード情報が顧客データベース部５４に顧客情報として登録されているか否かを確認する。
【００６９】
そして認証処理部５６は、ユーザ認証処理を終了すると、当該ユーザ認証処理の結果を示したポータル認証結果情報（後述する認証セッションＩＤ情報）を発行し、当該発行したポータル認証結果情報を認証情報記憶部５７に一時記憶する。
【００７０】
このとき制御部５０は、認証処理部５６によるユーザ認証処理の結果、ユーザが正規ユーザであると認証されると、ページ情報記憶部５５に記憶されている契約者用のページ情報をポータル認証結果情報と共に通信制御部５２及びネットワークインタフェース５３を順次介してクライアント端末２に送信する。
【００７１】
なお制御部５０は、認証処理部５６によるユーザ認証処理の結果、ユーザが正規ユーザであると認証されなかったときには、認証エラー情報を、ページ情報記憶部５５に記憶されている認証の失敗を示す認証失敗通知ページ情報と共に通信制御部５２及びネットワークインタフェース５３を順次介してクライアント端末２に送信するように構成しても良い。
【００７２】
また認証処理部５６は、音楽データ配信サーバＳＶ１、物販サーバＳＶ２及びラジオ放送情報配信サーバＳＶ３からユーザに対する認証処理が実行された結果、当該ユーザのクライアント端末２から取得して送信されるポータル認証結果情報（後述する認証チケット）をネットワークインタフェース５３及び通信制御部５２を順次介して受信すると、当該受信したポータル認証結果情報と、認証情報記憶部５７に一時記憶していた当該ユーザに対応するポータル認証結果情報とを比較する。
【００７３】
これにより認証処理部５６は、音楽データ配信サーバＳＶ１、物販サーバＳＶ２及びラジオ放送情報配信サーバＳＶ３から受信したポータル認証結果情報に対する認証処理として、正規のポータル認証結果情報であるか否かを確認する確認処理を実行し、その確認結果を示す確認結果情報を通信制御部５２及びネットワークインタフェース５３を順次介して当該音楽データ配信サーバＳＶ１、物販サーバＳＶ２及びラジオ放送情報配信サーバＳＶ３に返信する。
【００７４】
周波数情報記憶部５８には、地域を特定可能な郵便番号等の地域コードと、その地域コードの示す地域で受信可能なラジオ放送の放送周波数を示す周波数情報、当該ラジオ放送を放送するラジオ局の名称（以下、これをラジオ局名と呼ぶ）及び当該ラジオ局毎のユニークな識別情報であるコールサインとが対応付けられて記憶されている。
【００７５】
ＵＲＬ記憶部５９には、ラジオ放送用のラジオ局毎のコールサインと、当該コールサインに対応するラジオ局で提供する現在放送中のラジオ番組に関し当該ラジオ番組の番組名やそのラジオ番組内で現時点に流されている楽曲のタイトル等からなるラジオ放送情報（以下、これを特にナウオンエア情報と呼ぶ）を取得可能なＵＲＬ情報とが対応付けられて記憶されている。
【００７６】
（１−４）音楽データ配信サーバＳＶ１の機能回路ブロック構成
次に、図５を用いて音楽データ配信サーバＳＶ１の機能回路ブロックによるハードウェア構成を説明する。
【００７７】
音楽データ配信サーバＳＶ１内の制御部７０は、バス７１を介して接続される各回路の動作を制御する。
【００７８】
通信制御部７２は、制御部７０の制御のもと、ネットワークインタフェース７３を介してクライアント端末２やポータルサーバ３等と各種情報や、コンテンツデータ等の各種データを送受信する。
【００７９】
顧客データベース部７４には、音楽データ配信サーバＳＶ１の運営業者とすでに契約を完了しているユーザのユーザＩＤ情報とパスワード情報とが対応付けられて顧客情報として登録されている。
【００８０】
ただし認証処理部７５が、クライアント端末２から送信される、ポータルサーバ３によって発行されたポータル認証結果情報に基づいてユーザを認証処理する機能を有する場合には、顧客データベース部７４を設けなくてもよい。
【００８１】
ページ情報記憶部７６には、音楽データ配信サーバＳＶ１が管理する、ダウンロード可能な音楽データを紹介する音楽データ配信用のページ情報等が記憶されている。
【００８２】
因みに音楽データ配信用のページ情報は、ＸＭＬ等の言語によって記述されており、クライアント端末２を利用するユーザに対してダウンロードを希望する音楽データを選択させることができる。
【００８３】
そして制御部７０は、クライアント端末２から送信される、音楽データ配信用のページ情報を要求するページ情報取得要求信号をネットワークインタフェース７３及び通信制御部７２を順次介して受信すると、当該受信したページ情報取得要求信号に応じて、ページ情報記憶部７６に記憶された音楽データ配信用のページ情報を通信制御部７２及びネットワークインタフェース７３を順次介してクライアント端末２に送信する。
【００８４】
認証処理部７５は、クライアント端末２から送信される、当該クライアント端末２を利用するユーザのユーザＩＤ情報及びパスワード情報をネットワークインタフェース７３及び通信制御部７２を順次介して受信すると、ユーザ認証処理として、当該受信したユーザＩＤ情報及びパスワード情報が顧客データベース部７４に顧客情報として登録されているか否かを確認する。
【００８５】
また認証処理部７５は、ユーザＩＤ情報及びパスワード情報を用いるユーザ認証処理とは異なるユーザ認証手法として、クライアント端末２から送信される、ポータルサーバ３で発行されたポータル認証結果情報（後述する認証チケット）をネットワークインタフェース７３及び通信制御部７２を順次介して受信し、当該受信したポータル認証結果情報を通信制御部７２及びネットワークインタフェース７３を順次介してポータルサーバ３に送信する。
【００８６】
そして認証処理部７５は、ポータルサーバ３へのポータル認証結果情報の送信に応じて、当該ポータルサーバ３からそのポータル認証結果情報に対する認証処理（すなわち、上述の確認処理）が実行された結果返信される確認結果情報をネットワークインタフェース７３及び通信制御部７２を順次介して受信し、当該受信した確認結果情報に基づいてユーザが音楽関連サービス提供システム１の運営業者とすでに契約を完了している正規ユーザであるか否かを確認する。
【００８７】
このようにして認証処理部７５は、ユーザ認証処理が終了すると、そのユーザ認証処理の結果を示したサーバ認証結果情報（後述するサービスセッションＩＤ情報）を発行する。
【００８８】
このとき制御部７０は、認証処理部７５によるユーザ認証処理の結果、ユーザが正規ユーザであると認証されると、ページ情報記憶部７６に契約者用として記憶されている音楽データ配信用のページ情報をサーバ認証結果情報と共に通信制御部７２及びネットワークインタフェース７３を順次介してクライアント端末２に送信する。
【００８９】
これに対して制御部７０は、認証処理部７５によるユーザ認証処理の結果、ユーザが正規ユーザであると認証されなかったときには、認証エラー情報を、ページ情報記憶部７６に記憶されている認証の失敗を示す認証失敗通知ページ情報と共に通信制御部７２及びネットワークインタフェース７３を順次介してクライアント端末２に送信する。
【００９０】
ところで認証情報記憶部７７には、認証処理部７５により発行されたサーバ認証結果情報が一時記憶されると共に、当該認証処理部７５により、クライアント端末２を利用するユーザをユーザ認証処理するときに必要とされる各種認証情報が記憶されている。
【００９１】
音楽データ記憶部７８には、上述のＡＴＲＡＣ３形式やＭＰ３形式等で圧縮符号化された複数の音楽データが各々のコンテンツＩＤ情報等の検索キーと対応付けられて記憶されている。
【００９２】
検索部７９は、クライアント端末２に対し音楽データ配信用のページ情報が送信された結果、当該クライアント端末２から送信される、ダウンロード希望の音楽データ検索用の検索キーが格納されそのダウンロード希望の音楽データをダウンロード要求するダウンロード要求信号がネットワークインタフェース７３及び通信制御部７２を順次介して受信されると、当該受信されたダウンロード要求信号からその検索キーを取り出す。
【００９３】
そして検索部７９は、かかる検索キーに基づいて、音楽データ記憶部７８内の複数の音楽データの中から当該検索キーの示す検索条件に該当するダウンロード希望の音楽データを検索する。
【００９４】
これにより制御部７０は、その検索されたダウンロード希望の音楽データを通信制御部７２及びネットワークインタフェース７３を順次介してクライアント端末２に送信する。
【００９５】
また制御部７０は、このときクライアント端末２への音楽データのダウンロードに伴うユーザに対する課金処理用の課金情報を通信制御部７２及びネットワークインタフェース７３を順次介して課金サーバＳＶ５に送信することにより、課金サーバＳＶ５に対し当該ユーザに対する音楽データのダウンロードに応じた課金処理を実行させる。
【００９６】
（１−５）物販サーバＳＶ２の機能回路ブロック構成
次に、図６を用いて物販サーバＳＶ２の機能回路ブロックによるハードウェア構成を説明する。
【００９７】
物販サーバＳＶ２内の制御部９０は、バス９１を介して接続される各回路の動作を制御する。
【００９８】
通信制御部９２は、制御部９０の制御のもと、ネットワークインタフェース９３を介してクライアント端末２やポータルサーバ３等と各種情報を送受信する。
【００９９】
顧客データベース部９４には、物販サーバＳＶ２の運営業者とすでに契約を完了しているユーザのユーザＩＤ情報とパスワード情報とが対応付けられて顧客情報として登録されている。
【０１００】
ただし認証処理部９５が、クライアント端末２から送信される、ポータルサーバ３によって発行されたポータル認証結果情報に基づいてユーザを認証処理する機能を有する場合には、顧客データベース部９４を設けなくてもよい。
【０１０１】
ページ情報記憶部９６には、物販サーバＳＶ２が管理する、販売対象のＣＤやＤＶＤ等のパッケージメディアを紹介するパッケージメディア販売用のページ情報等が記憶されている。
【０１０２】
因みにパッケージメディア販売用のページ情報は、ＸＭＬ等の言語によって記述されており、クライアント端末２を利用するユーザに対して購入を希望するＣＤやＤＶＤ等のパッケージメディアを選択させることができる。
【０１０３】
そして制御部９０は、クライアント端末２から送信される、パッケージメディア販売用のページ情報を要求するページ情報取得要求信号をネットワークインタフェース９３及び通信制御部９２を順次介して受信すると、当該受信したページ情報取得要求信号に応じて、ページ情報記憶部９６に記憶されたパッケージメディア販売用のページ情報を通信制御部９２及びネットワークインタフェース９３を順次介してクライアント端末２に送信する。
【０１０４】
認証処理部９５は、クライアント端末２から送信される、当該クライアント端末２を利用するユーザのユーザＩＤ情報及びパスワード情報をネットワークインタフェース９３及び通信制御部９２を順次介して受信すると、ユーザ認証処理として、当該受信したユーザＩＤ情報及びパスワード情報が顧客データベース部９４に顧客情報として登録されているか否かを確認する。
【０１０５】
また認証処理部９５は、ユーザＩＤ情報及びパスワード情報を用いるユーザ認証処理とは異なるユーザ認証手法として、クライアント端末２から送信される、ポータルサーバ３で発行されたポータル認証結果情報（後述する認証チケット）をネットワークインタフェース９３及び通信制御部９２を順次介して受信し、当該受信したポータル認証結果情報を通信制御部９２及びネットワークインタフェース９３を順次介してポータルサーバ３に送信する。
【０１０６】
そして認証処理部９５は、ポータルサーバ３へのポータル認証結果情報の送信に応じて、当該ポータルサーバ３からそのポータル認証結果情報に対する認証処理（すなわち、上述の確認処理）が実行された結果返信される確認結果情報をネットワークインタフェース９３及び通信制御部９２を順次介して受信し、当該受信した確認結果情報に基づいてユーザが音楽関連サービス提供システム１の運営業者とすでに契約を完了している正規ユーザであるか否かを確認する。
【０１０７】
このようにして認証処理部９５は、ユーザ認証処理が終了すると、そのユーザ認証処理の結果を示したサーバ認証結果情報（後述するサービスセッションＩＤ情報）を発行する。
【０１０８】
このとき制御部９０は、認証処理部９５によるユーザ認証処理の結果、ユーザが正規ユーザであると認証されると、ページ情報記憶部９６に契約者用として記憶されているパッケージメディア販売用のページ情報をサーバ認証結果情報と共に通信制御部９２及びネットワークインタフェース９３を順次介してクライアント端末２に送信する。
【０１０９】
これに対して制御部９０は、認証処理部９５によるユーザ認証処理の結果、ユーザが正規ユーザであると認証されなかったときには、認証エラー情報を、ページ情報記憶部９６に記憶されている認証の失敗を示す認証失敗通知ページ情報と共に通信制御部９２及びネットワークインタフェース９３を順次介してクライアント端末２に送信する。
【０１１０】
ところで認証情報記憶部９７には、認証処理部９５により発行されたサーバ認証結果情報が一時記憶されると共に、当該認証処理部９５により、クライアント端末２を利用するユーザをユーザ認証処理するときに必要とされる各種認証情報が記憶されている。
【０１１１】
パッケージメディア情報記憶部９８には、販売対象のＣＤやＤＶＤ等の複数のパッケージメディアに関する情報（以下、これをパッケージメディア情報と呼ぶ）が各々のパッケージメディアＩＤ情報等の検索キーと対応付けられて記憶されている。
【０１１２】
検索部９９は、クライアント端末２に対しパッケージメディア販売用のページ情報が送信された結果、当該クライアント端末２から送信される、特定のＣＤやＤＶＤ等のパッケージメディアに関するパッケージメディア情報を要求するメディア情報要求信号がネットワークインタフェース９３及び通信制御部９２を順次介して受信されると、当該受信されたメディア情報要求信号から当該特定のパッケージメディア検索用の検索キーを取り出す。
【０１１３】
そして検索部９９は、かかる検索キーに基づいて、パッケージメディア情報記憶部９８内の複数のパッケージメディア情報の中から当該検索キーの示す検索条件に該当する特定のパッケージメディアのパッケージメディア情報を検索する。
【０１１４】
これにより制御部９０は、その検索されたパッケージメディア情報を通信制御部９２及びネットワークインタフェース９３を順次介してクライアント端末２に送信し、かくしてユーザに対し特定のパッケージメディアに関するパッケージメディア情報を提示する。
【０１１５】
その結果、制御部９０は、クライアント端末２から送信される、上述の特定のパッケージメディアを購入要求する購入要求信号をネットワークインタフェース９３及び通信制御部９２を順次介して受信すると、当該クライアント端末２を利用するユーザへの当該特定のパッケージメディアの引き渡し手続等の購入処理を実行する。
【０１１６】
また制御部９０は、特定のパッケージメディアの購入に伴うユーザに対する課金処理用の課金情報を通信制御部９２及びネットワークインタフェース９３を順次介して課金サーバＳＶ５に送信することにより、課金サーバＳＶ５に対し当該ユーザに対する特定のパッケージメディアの購入に応じた課金処理を実行させる。
【０１１７】
さらに制御部９０は、課金サーバＳＶ５によるユーザに対する課金処理が完了すると、パッケージメディアの購入処理が完了したことを示す購入完了ページ情報を通信制御部９２及びネットワークインタフェース９３を順次介してクライアント端末２に送信する。
【０１１８】
（１−６）ラジオ放送情報配信サーバＳＶ３の機能回路ブロック構成
次に、図７を用いてラジオ放送情報配信サーバＳＶ３の機能回路ブロックによるハードウェア構成を説明する。
【０１１９】
ラジオ放送情報配信サーバＳＶ３内の制御部１１０は、バス１１１を介して接続される各回路の動作を制御する。
【０１２０】
通信制御部１１２は、制御部１１０の制御のもと、ネットワークインタフェース１１３を介してクライアント端末２やポータルサーバ３等と各種情報を送受信する。
【０１２１】
顧客データベース部１１４には、ラジオ放送情報配信サーバＳＶ３の運営業者とすでに契約を完了しているユーザのユーザＩＤ情報とパスワード情報とが対応付けられて顧客情報として登録されている。
【０１２２】
ただし認証処理部１１５が、クライアント端末２から送信される、ポータルサーバ３によって発行されたポータル認証結果情報に基づいてユーザを認証処理する機能を有する場合には、顧客データベース部１１４を設けなくてもよい。
【０１２３】
ページ情報記憶部１１６には、ラジオ放送情報配信サーバＳＶ３が管理し、当該ラジオ放送情報配信サーバＳＶ３に対応するラジオ局によってすでに放送されたラジオ番組に関するラジオ放送情報（以下、これを特にオンエアリスト情報、あるいはオンエア情報と呼ぶ）の取得に利用させるオンエアリスト情報配信用のページ情報等が記憶されている。
【０１２４】
因みにオンエアリスト情報配信用のページ情報は、ＸＭＬ等の言語によって記述され、クライアント端末２を利用するユーザに対し、ラジオ番組の放送日時情報や番組名等を、取得希望のオンエアリスト情報に対する検索キーとして入力させるための入力ボックス等が設けられている。
【０１２５】
オンエアリスト情報記憶部１１７には、ラジオ放送情報配信サーバＳＶ３に対応するラジオ局ですでに放送されたラジオ番組に対する番組名、番組放送開始時刻及び番組放送終了時刻等と、当該ラジオ番組内で流された楽曲に対するタイトル、アーティスト名、楽曲放送開始時刻等とをリスト化して生成されたオンエアリスト情報が記憶されている。
【０１２６】
そして制御部１１０は、クライアント端末２から送信される、オンエアリスト情報配信用のページ情報を要求するページ情報取得要求信号をネットワークインタフェース１１３及び通信制御部１１２を順次介して受信すると、当該受信したページ情報取得要求信号に応じて、ページ情報記憶部１１６に記憶されたオンエアリスト情報配信用のページ情報を通信制御部１１２及びネットワークインタフェース１１３を順次介してクライアント端末２に送信する。
【０１２７】
その結果、検索部１１８は、クライアント端末２からオンエアリスト情報配信用のページ情報上で入力された取得希望のオンエアリスト情報検索用の検索キーが格納されオンエアリスト情報をダウンロード要求するオンエアリスト情報要求信号が送信されることにより、そのオンエアリスト情報要求信号をネットワークインタフェース１１３及び通信制御部１１２を順次介して受信すると、当該受信したオンエアリスト情報要求信号から検索キーを取り出す。
【０１２８】
そして検索部１１８は、かかる検索キーに基づいて、オンエアリスト情報記憶部１１７内のオンエアリスト情報全体に対し当該検索キーの示す検索条件に該当する所定範囲部分を取得希望のオンエアリスト情報として検索する。
【０１２９】
これにより制御部１１０は、その検索された取得希望のオンエアリスト情報を通信制御部１１２及びネットワークインタフェース１１３を順次介してクライアント端末２に送信する。
【０１３０】
またナウオンエア情報記憶部１１９には、ラジオ放送情報配信サーバＳＶ３に対応するラジオ局で現在放送中のラジオ番組に対する番組名、番組放送開始時刻、番組放送終了時刻、当該ラジオ番組内で現時点に流されている楽曲に対するタイトル、アーティスト名、楽曲放送開始時刻等からなるナウオンエア情報が記憶されている。
【０１３１】
そして認証処理部１１５は、クライアント端末２からナウオンエア情報を取得要求するナウオンエア情報要求信号と共に送信される、当該クライアント端末２を利用するユーザのユーザＩＤ情報及びパスワード情報をネットワークインタフェース１１３及び通信制御部１１２を順次介して受信すると、ユーザ認証処理として、当該受信したユーザＩＤ情報及びパスワード情報が顧客データベース部１１４に顧客情報として登録されているか否かを確認する。
【０１３２】
また認証処理部１１５は、ユーザＩＤ情報及びパスワード情報を用いるユーザ認証処理とは異なるユーザ認証手法として、クライアント端末２から送信される、ポータルサーバ３で発行されたポータル認証結果情報（後述する認証チケット）をネットワークインタフェース１１３及び通信制御部１１２を順次介して受信し、当該受信したポータル認証結果情報を通信制御部１１２及びネットワークインタフェース１１３を順次介してポータルサーバ３に送信する。
【０１３３】
そして認証処理部１１５は、ポータルサーバ３へのポータル認証結果情報の送信に応じて、当該ポータルサーバ３からそのポータル認証結果情報に対する認証処理（すなわち、上述の確認処理）が実行された結果返信される確認結果情報をネットワークインタフェース１１３及び通信制御部１１２を順次介して受信し、当該受信した確認結果情報に基づいてユーザが音楽関連サービス提供システム１の運営業者とすでに契約を完了している正規ユーザであるか否かを確認する。
【０１３４】
このようにして認証処理部１１５は、ユーザ認証処理が終了すると、そのユーザ認証処理の結果を示したサーバ認証結果情報（後述するサービスセッションＩＤ情報）を発行する。
【０１３５】
このとき制御部１１０は、認証処理部１１５によるユーザ認証処理の結果、ユーザが正規ユーザであると認証されると、ナウオンエア情報記憶部１１９に記憶されているナウオンエア情報をサーバ認証結果情報と共に通信制御部１１２及びネットワークインタフェース１１３を順次介してクライアント端末２に送信する。
【０１３６】
これに対して制御部１１０は、認証処理部１１５によるユーザ認証処理の結果、ユーザが正規ユーザであると認証されなかったときには、認証エラー情報を、ページ情報記憶部１１６に記憶されている認証の失敗を示す認証失敗通知ページ情報と共に通信制御部１１２及びネットワークインタフェース１１３を順次介してクライアント端末２に送信する。
【０１３７】
このようにして制御部１１０は、ユーザからナウオンエア情報の取得が要求されたとき、当該ユーザを正規ユーザであると認証したときには、ナウオンエア情報を配信するものの、ユーザを正規ユーザであると認証することができなかったときには、そのユーザに対してナウオンエア情報の配信サービスのようなラジオ放送情報配信サーバＳＶ３が提供するラジオ放送情報配信サービスを受けさせないようにしている。
【０１３８】
ところで認証情報記憶部１２０には、認証処理部１１５により発行されたサーバ認証結果情報が一時記憶されると共に、当該認証処理部１１５により、クライアント端末２を利用するユーザをユーザ認証処理するときに必要とされる各種認証情報が記憶されている。
【０１３９】
（１−７）各サーバの処理概要
次に図８乃至図１３に示すシーケンスチャートを用いて、クライアント端末２とポータルサーバ３との間で実行される処理や、クライアント端末２とその他の音楽データ配信サーバＳＶ１、物販サーバＳＶ２及びラジオ放送情報配信サーバＳＶ３との間で実行される処理の概要を説明する。
【０１４０】
（１−７−１）クライアント端末２及びポータルサーバ３間のユーザ認証処理手順
まず図８を用いて、クライアント端末２とポータルサーバ３との間で実行されるユーザ認証処理手順について説明する。
【０１４１】
音楽関連サービス提供システム１の運営業者と契約しているユーザのクライアント端末２において制御部２３は、例えばクライアント端末２に対して電源を投入する操作が行われ、又はユーザにより操作入力部２０の特定の操作ボタンが押下されたことに応じてその操作入力部２０で認識された操作入力信号が入力処理部２１で操作コマンドに変換されて与えられると、認証要求処理を開始する。
【０１４２】
クライアント端末２で認証要求処理を開始すると、ステップＳＰ１において、制御部２３は、認証情報記憶部３８に対し予め一時記憶している認証セッションＩＤ情報等を格納した接続要求信号を生成し、当該生成した接続要求信号を通信制御部３２及びネットワークインタフェース３３を順次介してポータルサーバ３に送信する。
【０１４３】
因みに認証セッションＩＤ情報は、クライアント端末２とポータルサーバ３とがユーザ認証処理等の各種処理の実行用に通信接続する毎に、個々の通信接続状態（すなわち、セッション）の識別用としてポータルサーバ３によって発行される識別情報である。
【０１４４】
なおかかる認証セッションＩＤ情報については、ユーザ認証処理等に利用するうえで、ポータルサーバ３による発行時点を基準とした所定の有効期限（例えば１分程度）が設定されている。
【０１４５】
従ってポータルサーバ３から認証セッションＩＤ情報を取得したクライアント端末２は、その認証セッションＩＤ情報を有効期限以内にポータルサーバ３に対して提示することができない場合、ポータルサーバ３により、当該認証セッションＩＤ情報で特定される通信接続状態が切断されたと判断される。
【０１４６】
これによりポータルサーバ３は、過去に発行した認証セッションＩＤ情報が、音楽関連サービス提供システム１の運営業者と契約してはいないユーザによりユーザ認証処理等に対し不当に利用されることを防止している。
【０１４７】
また認証情報記憶部３８に一時記憶されている認証セッションＩＤ情報は、クライアント端末２とポータルサーバ３とが以前にユーザ認証処理等の実行用に通信接続したとき、そのポータルサーバ３によって発行されたものである。
【０１４８】
クライアント端末２から接続要求信号が送信されると、これに応じてステップＳＰ２においてポータルサーバ３の制御部５０は、ネットワークインタフェース５３及び通信制御部５２を順次介してその接続要求信号を受信し、当該受信した接続要求信号に格納されている認証セッションＩＤ情報等を認証処理部５６に送出する。
【０１４９】
そして認証処理部５６は、制御部５０の制御のもと、クライアント端末２から接続要求信号として受信された認証セッションＩＤ情報等に基づいてユーザ認証処理を実行する。
【０１５０】
その結果、制御部５０は、認証処理部５６により、クライアント端末２から受信した認証セッションＩＤ情報等の有効期限が切れる等して、当該クライアント端末２を利用するユーザを正規ユーザであると認証することができなかったときには、認証エラーを示す認証エラー情報を通信制御部５２及びネットワークインタフェース５３を順次介してクライアント端末２に送信する。
【０１５１】
ステップＳＰ３において、クライアント端末２の制御部２３は、ポータルサーバ３から送信された認証エラー情報をネットワークインタフェース３３及び通信制御部３２を順次介して受信すると、これに応じて認証情報記憶部３８に記憶しているユーザＩＤ情報及びパスワード情報等を読み出し、当該読み出したユーザＩＤ情報及びパスワード情報等を通信制御部３２及びネットワークインタフェース３３を順次介してポータルサーバ３に送信する。
【０１５２】
ステップＳＰ４において、ポータルサーバ３の制御部５０は、クライアント端末２から送信されたユーザＩＤ情報及びパスワード情報等をネットワークインタフェース５３及び通信制御部５２を順次介して受信し、当該受信したユーザＩＤ情報及びパスワード情報等を認証処理部５６に送出する。
【０１５３】
これにより認証処理部５６は、制御部５０の制御のもとにユーザ認証処理として、そのクライアント端末２から受信されたユーザＩＤ情報及びパスワード情報等が、顧客データベース部５４に登録されている顧客情報に含まれているか否かを検出する。
【０１５４】
その結果、認証処理部５６は、クライアント端末２を利用するユーザを正規ユーザであると認証すると、制御部５０の制御のもとにポータル認証結果情報として、現時点のクライアント端末２とポータルサーバ３との通信接続状態に対する認証セッションＩＤ情報等を発行すると共に、当該クライアント端末２に対して発行した認証セッションＩＤ情報等を認証情報記憶部５７に一時記憶する。
【０１５５】
そして制御部５０は、認証処理部５６によりそのクライアント端末２に対して発行された認証セッションＩＤ情報等を通信制御部５２及びネットワークインタフェース５３を順次介してクライアント端末２に送信する。
【０１５６】
ステップＳＰ５において、クライアント端末２の制御部２３は、ポータルサーバ３から送信された認証セッションＩＤ情報等をネットワークインタフェース３３及び通信制御部３２を順次介して受信し、当該受信した認証セッションＩＤ情報等を認証処理部３７に送出する。
【０１５７】
そして認証処理部３７は、制御部２３の制御のもとに、ポータルサーバ３から受信されたその認証セッションＩＤ情報等を認証情報記憶部３８に一時記憶する。
【０１５８】
これにより制御部２３は、ポータルサーバ３に対しページ情報を要求するためのページ情報取得要求信号を、ポータルサーバ３から受信して認証情報記憶部３８に一時記憶されたその認証セッションＩＤ情報等と共に通信制御部３２及びネットワークインタフェース３３を順次介してポータルサーバ３に送信する。
【０１５９】
ステップＳＰ６において、ポータルサーバ３の制御部５０は、クライアント端末２から送信されたページ情報取得要求信号及び認証セッションＩＤ情報等をネットワークインタフェース５３及び通信制御部５２を順次介して受信し、当該受信した認証セッションＩＤ情報等を認証処理部５６に送出する。
【０１６０】
これにより認証処理部５６は、制御部５０の制御のもと、クライアント端末２から受信された認証セッションＩＤ情報等と、上述のステップＳＰ４においてクライアント端末２に対して発行し認証情報記憶部５７に一時記憶していた認証セッションＩＤ情報等とを比較するようにしてユーザ認証処理を実行する。
【０１６１】
その結果ステップＳＰ７において、認証処理部５６は、クライアント端末２を利用するユーザを正規ユーザであると認証すると、当該クライアント端末２からのページ情報の取得要求が正当な要求であると判断し、クライアント端末２に対して発行していた認証セッションＩＤ情報等の有効期限を延長する。
【０１６２】
これにより制御部５０は、ページ情報記憶部５５から、ユーザによって取得要求されたページ情報を読み出すと共に、当該読み出したページ情報を、認証処理部５６により有効期限の延長された認証セッションＩＤ情報等と共に通信制御部５２及びネットワークインタフェース５３を順次介してクライアント端末２に送信する。
【０１６３】
ステップＳＰ８において、クライアント端末２の制御部２３は、ポータルサーバ３から送信されたページ情報と、有効期限の延長された認証セッションＩＤ情報等とをネットワークインタフェース３３及び通信制御部３２を順次介して受信し、当該受信したページ情報をページ情報生成部３６に送出すると共に、その有効期限の延長された認証セッションＩＤ情報等を認証処理部３７に送出する。
【０１６４】
ページ情報生成部３６は、制御部２３から与えられたページ情報に基づいて、音楽データ配信サーバＳＶ１、物販サーバＳＶ２及びラジオ放送情報配信サーバＳＶ３へのリンクが埋め込まれたページの映像データを生成し、当該生成した映像データを表示制御部２４に送出する。
【０１６５】
これにより表示制御部２４は、ページ情報生成部３６から与えられた映像データに対してディジタルアナログ変換処理を施し、得られたアナログ映像信号を表示部２５に送出することにより当該表示部２５にそのアナログ映像信号に基づく映像としてポータルサーバ３のページを表示させる。
【０１６６】
また認証処理部３７は、制御部２３の制御のもと認証情報記憶部３８において、ポータルサーバ３から受信された、有効期限の延長された認証セッションＩＤ情報等をその有効期限が延長される前の認証セッションＩＤ情報等に上書きするようにして一時記憶することにより、上述のステップＳＰ５において一時記憶していた認証セッションＩＤ情報等を有効期限の延長された認証セッションＩＤ情報等に更新する。
【０１６７】
（１−７−２）クライアント端末２及び各サーバＳＶ１乃至ＳＶ３間のユーザ認証処理手順
次に、図９において、クライアント端末２と、音楽データ配信サーバＳＶ１、物販サーバＳＶ２及びラジオ放送情報配信サーバＳＶ３との間で実行するユーザ認証処理について以下に説明する。
【０１６８】
この場合、かかるユーザ認証処理としては、クライアント端末２が図８について上述したようにポータルサーバ３からページ情報を一旦取得し、引き続きそのページ情報に埋め込まれたリンクにより音楽データ配信サーバＳＶ１、物販サーバＳＶ２及びラジオ放送情報配信サーバＳＶ３にアクセスして実行されるユーザ認証処理（以下、これを間接アクセス認証処理と呼ぶ）がある。
【０１６９】
またかかるユーザ認証処理としては、クライアント端末２がポータルサーバ３のページ情報を取得せずに、予めブックマークとして登録しているＵＲＬ情報等により音楽データ配信サーバＳＶ１、物販サーバＳＶ２及びラジオ放送情報配信サーバＳＶ３に直接アクセスして実行されるユーザ認証処理（以下、これを直接アクセス認証処理と呼ぶ）もある。
【０１７０】
ただし間接アクセス認証処理については、クライアント端末２と、音楽データ配信サーバＳＶ１、物販サーバＳＶ２及びラジオ放送情報配信サーバＳＶ３とが何れの組合せであっても同様の手順で実行することができる。
【０１７１】
また直接アクセス認証処理についても、クライアント端末２と、音楽データ配信サーバＳＶ１、物販サーバＳＶ２及びラジオ放送情報配信サーバＳＶ３とが何れの組合せであっても同様の手順で実行することができる。
【０１７２】
そして間接アクセス認証処理及び直接アクセス認証処理では、クライアント端末２において音楽データ配信サーバＳＶ１、物販サーバＳＶ２及びラジオ放送情報配信サーバＳＶ３へのアクセスに使用するＵＲＬ情報の取得の仕方のみが異なるだけで、当該ＵＲＬ情報の取得以降には、間接アクセス認証処理及び直接アクセス認証処理の両方ともに同様の手順で実行することができる。
【０１７３】
従って以下には、クライアント端末２のアクセス先として、説明を簡略化するうえで音楽データ配信サーバＳＶ１を代表として用い、さらに間接アクセス認証処理及び直接アクセス認証処理をまとめて１つのユーザ認証処理として説明する。
【０１７４】
まず、ステップＳＰ１０において、クライアント端末２の制御部２３は、ページ情報にリンクとして埋め込まれたＵＲＬ情報、又はすでにブックマークとして登録しているＵＲＬ情報等に従って、音楽データ配信用のページ情報（他の物販サーバＳＶ２やラジオ放送情報配信サーバＳＶ３では、パッケージメディア販売用のページ情報やオンエアリスト情報配信用のページ情報等となる）を取得要求するページ情報取得要求信号と共に、認証情報記憶部３８から読み出したサービスセッションＩＤ情報等を通信制御部３２及びネットワークインタフェース３３を順次介して音楽データ配信サーバＳＶ１に送信する。
【０１７５】
因みにサービスセッションＩＤ情報は、クライアント端末２と音楽データ配信サーバＳＶ１、物販サーバＳＶ２及びラジオ放送情報配信サーバＳＶ３とがユーザ認証処理等の各種処理の実行用に通信接続する毎に、個々の通信接続状態（すなわち、セッション）の識別用として、クライアント端末２がアクセスした音楽データ配信サーバＳＶ１、物販サーバＳＶ２及びラジオ放送情報配信サーバＳＶ３によって発行される識別情報である。
【０１７６】
なおかかるサービスセッションＩＤ情報については、上述した認証セッションＩＤ情報と同様に、ユーザ認証処理等に利用するうえで音楽データ配信サーバＳＶ１、物販サーバＳＶ２及びラジオ放送情報配信サーバＳＶ３による発行時点を基準とした所定の有効期限（例えば１分程度）が設定されている。
【０１７７】
従って各サーバＳＶ１乃至ＳＶ３からサービスセッションＩＤ情報を取得したクライアント端末２は、そのサービスセッションＩＤ情報を有効期限以内に発行元の音楽データ配信サーバＳＶ１、物販サーバＳＶ２及びラジオ放送情報配信サーバＳＶ３に対して提示することができない場合、これら発行元の音楽データ配信サーバＳＶ１、物販サーバＳＶ２及びラジオ放送情報配信サーバＳＶ３により、当該サービスセッションＩＤ情報で特定される通信接続状態が切断されたと判断される。
【０１７８】
これにより音楽データ配信サーバＳＶ１、物販サーバＳＶ２及びラジオ放送情報配信サーバＳＶ３は、過去に発行したサービスセッションＩＤ情報が、音楽関連サービス提供システム１の運営業者と契約してはいないユーザによりユーザ認証処理等に対し不当に利用されることを防止している。
【０１７９】
また認証情報記憶部３８に一時記憶されているサービスセッションＩＤ情報は、クライアント端末２と音楽データ配信サーバＳＶ１、物販サーバＳＶ２及びラジオ放送情報配信サーバＳＶ３とが以前にユーザ認証処理等の実行用に通信接続したとき、そのアクセス先の音楽データ配信サーバＳＶ１、物販サーバＳＶ２及びラジオ放送情報配信サーバＳＶ３によって発行されたものである。
【０１８０】
ステップＳＰ１１において、音楽データ配信サーバＳＶ１の制御部７０は、クライアント端末２から送信されたページ情報取得要求信号及びサービスセッションＩＤ情報等をネットワークインタフェース７３及び通信制御部７２を順次介して受信し、当該受信したサービスセッションＩＤ情報等を認証処理部７５に送出する。
【０１８１】
認証処理部７５は、制御部７０の制御のもと、クライアント端末２から受信されたサービスセッションＩＤ情報等と、認証情報記憶部７７にすでに一時記憶しているサービスセッションＩＤ情報等とを比較するようにしてユーザ認証処理を実行する。
【０１８２】
その結果、認証処理部７５は、例えばクライアント端末２から受信したサービスセッションＩＤ情報の有効期限がすでに切れていることにより、当該クライアント端末２を利用するユーザを正規ユーザであるとは認証することができないと、クライアント端末２からの音楽データ配信用のページ情報の取得要求が正当な要求ではないと判断する。
【０１８３】
そして制御部７０は、認証処理部７５によりクライアント端末２を利用するユーザが正規ユーザであると認証されないと、認証エラーを示す認証エラー情報と、音楽データ配信サーバＳＶ１を識別するショップコードとを通信制御部７２及びネットワークインタフェース７３を順次介してクライアント端末２に送信する。
【０１８４】
ステップＳＰ１２において、クライアント端末２の制御部２３は、音楽データ配信サーバＳＶ１から送信された認証エラー情報及びショップコードをネットワークインタフェース３３及び通信制御部３２を順次介して受信し、当該受信した認証エラー情報により、音楽データ配信サーバＳＶ１においてユーザが正規ユーザとして認証されなかったことを認識すると共に、その音楽データ配信サーバＳＶ１から受信したショップコードを認証情報記憶部３８に一時記憶する。
【０１８５】
そして制御部２３は、ポータルサーバ３に対して、音楽データ配信サーバＳＶ１にアクセスするための認証チケットを発行要求する認証チケット発行要求信号を生成し、当該生成した認証チケット発行要求信号を音楽データ配信サーバＳＶ１のショップコード、及びすでにポータルサーバ３から受信して認証情報記憶部３８に対し一時記憶している認証セッションＩＤ情報等と共に通信制御部３２及びネットワークインタフェース３３を順次介してポータルサーバ３に送信する。
【０１８６】
ステップＳＰ１３において、ポータルサーバ３の制御部５０は、クライアント端末２から送信された認証チケット発行要求信号、ショップコード及び認証セッションＩＤ情報等をネットワークインタフェース５３及び通信制御部５２を順次介して受信し、これらを認証処理部５６に送出する。
【０１８７】
これにより認証処理部５６は、制御部５０の制御のもと、そのクライアント端末２から受信された認証セッションＩＤ情報等と、認証情報記憶部５７に対しすでに一時記憶している認証セッションＩＤ情報等とを比較するようにしてユーザ認証処理を実行する。
【０１８８】
その結果、認証処理部５６は、例えばクライアント端末２から受信された認証セッションＩＤ情報の有効期限がすでに切れており、当該クライアント端末２を利用するユーザを正規ユーザであるとは認証することができないと、クライアント端末２からの認証チケットの発行要求が正当な要求ではないと判断する。
【０１８９】
そして制御部５０は、認証処理部５６によりクライアント端末２を利用するユーザが正規ユーザであると認証されないと、認証エラーを示す認証エラー情報を通信制御部５２及びネットワークインタフェース５３を順次介してクライアント端末２に送信する。
【０１９０】
これに対して認証処理部５６は、例えばクライアント端末２から受信した認証セッションＩＤ情報の有効期限が未だ切れてはいないことで、クライアント端末２を利用するユーザを正規ユーザであると認証すると、当該クライアント端末２からの認証チケットの発行要求が正当な要求であると判断する。
【０１９１】
そして制御部５０は、認証処理部５６により、クライアント端末２を利用するユーザが正規ユーザであると認証されると、後述するステップＳＰ１８に移る。
【０１９２】
ステップＳＰ１４において、クライアント端末２の制御部２３は、ポータルサーバ３から送信された認証エラー情報をネットワークインタフェース３３及び通信制御部３２を順次介して受信すると、認証情報記憶部３８に記憶されているユーザＩＤ情報及びパスワード情報等を読み出すと共に、当該読み出したユーザＩＤ情報及びパスワード情報等を通信制御部３２及びネットワークインタフェース３３を順次介してポータルサーバ３に送信する。
【０１９３】
ステップＳＰ１５において、ポータルサーバ３の制御部５０は、クライアント端末２から送信されたユーザＩＤ情報及びパスワード情報等をネットワークインタフェース５３及び通信制御部５２を順次介して受信し、当該受信したユーザＩＤ情報及びパスワード情報等を認証処理部５６に送出する。
【０１９４】
これにより認証処理部５６は、制御部５０の制御のもと、クライアント端末２から受信されたユーザＩＤ情報及びパスワード情報等が、顧客データベース部５４に登録されている顧客情報に含まれているか否かを検出するようにしてユーザ認証処理を実行する。
【０１９５】
その結果、認証処理部５６は、クライアント端末２を利用するユーザを正規ユーザであると認証すると、制御部５０の制御のもとポータル認証結果情報として、現時点のクライアント端末２とポータルサーバ３との通信接続状態に対する認証セッションＩＤ情報等を発行すると共に、当該クライアント端末２に対して発行した認証セッションＩＤ情報等を認証情報記憶部５７に一時記憶する。
【０１９６】
そして制御部５０は、認証処理部５６によりそのクライアント端末２に対して発行された認証セッションＩＤ情報等を通信制御部５２及びネットワークインタフェース５３を順次介してクライアント端末２に送信する。
【０１９７】
ステップＳＰ１６において、クライアント端末２の制御部２３は、ポータルサーバ３から送信された認証セッションＩＤ情報等をネットワークインタフェース３３及び通信制御部３２を順次介して受信し、当該受信した認証セッションＩＤ情報等を認証処理部３７により認証情報記憶部３８に一時記憶する。
【０１９８】
そして制御部２３は、再びポータルサーバ３に対して、認証チケットを発行要求する認証チケット発行要求信号を生成すると共に、当該生成した認証チケット発行要求信号を、認証情報記憶部３８にすでに一時記憶しているショップコード、及びこのとき一時記憶した認証セッションＩＤ情報等と共に通信制御部３２及びネットワークインタフェース３３を順次介してポータルサーバ３に送信する。
【０１９９】
ここで本実施の形態では、クライアント端末２において認証情報記憶部３８に対しショップコードを一時記憶しておいたが、これに限らず、当該クライアント端末２とポータルサーバ３との間でステップＳＰ１２乃至ステップＳＰ１６の処理を実行する際にショップコードを順次送受信することにより、クライアント端末２において認証情報記憶部３８に対しショップコードを一時記憶しなくてもステップＳＰ１６においてポータルサーバ３に対しショップコードを送信することが可能である。
【０２００】
ステップＳＰ１７において、ポータルサーバ３の制御部５０は、クライアント端末２から送信された認証チケット発行要求信号、ショップコード及び認証セッションＩＤ情報等をネットワークインタフェース５３及び通信制御部５２を順次介して受信し、これらを認証処理部５６に送出する。
【０２０１】
これにより認証処理部５６は、制御部５０の制御のもと、そのクライアント端末２から受信された認証セッションＩＤ情報等と、認証情報記憶部５７にすでに一時記憶している認証セッションＩＤ情報等とを比較するようにしてユーザ認証処理を実行する。
【０２０２】
その結果、認証処理部５６は、例えばクライアント端末２から受信した認証セッションＩＤ情報等の有効期限が未だ切れてはいないために、クライアント端末２を利用するユーザを正規ユーザであると認証すると、当該クライアント端末２からの認証チケットの発行要求が正当な要求であると判断する。
【０２０３】
そして制御部５０は、認証処理部５６により、クライアント端末２を利用するユーザが正規ユーザであると認証されると、次のステップＳＰ１８に移る。
【０２０４】
ステップＳＰ１８において、認証処理部５６は、制御部５０の制御のもと、上述のステップＳＰ１７においてクライアント端末２から受信したショップコード及び認証チケット発行要求信号に基づいて、ポータル認証結果情報として、当該ショップコードの示す音楽データ配信サーバＳＶ１へのアクセスを可能にする認証チケット等を発行する。
【０２０５】
そして認証処理部５６は、制御部５０の制御のもと、その発行した認証チケット等を認証情報記憶部５７に一時記憶すると共に、クライアント端末２に対して発行していた認証セッションＩＤ情報等の有効期限を延長する。
【０２０６】
これにより制御部５０は、認証チケット等を、認証処理部５６により有効期限の延長された認証セッションＩＤ情報等と共に通信制御部５２及びネットワークインタフェース５３を順次介してクライアント端末２に送信する。
【０２０７】
ステップＳＰ１９において、クライアント端末２の制御部２３は、ポータルサーバ３から送信された認証チケット等と、有効期限の延長された認証セッションＩＤ情報等とをネットワークインタフェース３３及び通信制御部３２を順次介して受信し、当該受信した認証セッションＩＤ情報を認証処理部３７に送出する。
【０２０８】
そして制御部２３は、そのポータルサーバ３から受信した認証チケット等を認証要求信号と共に通信制御部３２及びネットワークインタフェース３３を順次介して音楽データ配信サーバＳＶ１に送信する。
【０２０９】
また認証処理部３７は、このとき制御部２３の制御のもとに認証情報記憶部３８において、ポータルサーバ３から受信された有効期限の延長されている認証セッションＩＤ情報等をその有効期限が延長される前の認証セッションＩＤ情報等に上書きするようにして一時記憶することにより、上述のステップＳＰ１６において一時記憶していた認証セッションＩＤ情報等を有効期限の延長された認証セッションＩＤ情報等に更新する。
【０２１０】
ステップＳＰ２０において、音楽データ配信サーバＳＶ１の制御部７０は、クライアント端末２から送信された認証要求信号及び認証チケット等をネットワークインタフェース７３及び通信制御部７２を順次介して受信する。
【０２１１】
そして制御部７０は、そのクライアント端末２から受信した認証チケット等を当該認証チケット等の確認を要求する認証チケット確認要求信号と共に通信制御部７２及びネットワークインタフェース７３を順次介してポータルサーバ３に送信する。
【０２１２】
ステップＳＰ２１において、ポータルサーバ３の制御部５０は、音楽データ配信サーバＳＶ１から送信された認証チケット確認要求信号及び認証チケット等をネットワークインタフェース５３及び通信制御部５２を順次介して受信し、当該受信した認証チケット確認要求信号及び認証チケット等を認証処理部５６に送出する。
【０２１３】
そして認証処理部５６は、制御部５０の制御のもと認証チケット確認要求信号に応じて、その音楽データ配信サーバＳＶ１から受信された認証チケット等と、認証情報記憶部５７にすでに一時記憶している認証チケット等とを比較するようにして、当該音楽データ配信サーバＳＶ１から受信した認証チケットに対する確認処理を実行する。
【０２１４】
その結果、制御部５０は、認証処理部５６により、音楽データ配信サーバＳＶ１から受信した認証チケット等が正規の認証チケット等であると確認されると、当該認証チケット等を正規の認証チケット等であると確認したことを示す確認結果情報を通信制御部５２及びネットワークインタフェース５３を順次介して音楽データ配信サーバＳＶ１に送信する。
【０２１５】
ステップＳＰ２２において、音楽データ配信サーバＳＶ１の制御部７０は、ポータルサーバ３から送信された確認結果情報をネットワークインタフェース７３及び通信制御部７２を順次介して受信し、当該受信した確認結果情報を認証処理部７５に送出する。
【０２１６】
これにより認証処理部７５は、制御部７０の制御のもとにその確認結果情報に応じ、サーバ認証結果情報として、現時点のクライアント端末２と音楽データ配信サーバＳＶ１との通信接続状態に対するサービスセッションＩＤ情報等を発行すると共に、当該発行したサービスセッションＩＤ情報等を認証情報記憶部７７に一時記憶する。
【０２１７】
また制御部７０は、認証処理部７５によりそのクライアント端末２に対して発行されたサービスセッションＩＤ情報等を通信制御部７２及びネットワークインタフェース７３を順次介してクライアント端末２に送信する。
【０２１８】
ステップＳＰ２３において、クライアント端末２の制御部２３は、音楽データ配信サーバＳＶ１から送信されたサービスセッションＩＤ情報等をネットワークインタフェース３３及び通信制御部３２を順次介して受信し、当該受信したサービスセッションＩＤ情報等を認証処理部３７により認証情報記憶部３８に一時記憶させる。
【０２１９】
これにより制御部２３は、音楽データ配信用のページ情報を要求するページ情報取得要求信号を、音楽データ配信サーバＳＶ１から受信して認証情報記憶部３８に一時記憶させたサービスセッションＩＤ情報等と共に通信制御部３２及びネットワークインタフェース３３を順次介して音楽データ配信サーバＳＶ１に送信する。
【０２２０】
ステップＳＰ２４において、音楽データ配信サーバＳＶ１の制御部７０は、クライアント端末２から送信されたページ情報取得要求信号及びサービスセッションＩＤ情報等をネットワークインタフェース７３及び通信制御部７２を順次介して受信し、当該受信したサービスセッションＩＤ情報等を認証処理部７５に送出する。
【０２２１】
これにより認証処理部７５は、制御部７０の制御のもと、クライアント端末２から受信されたサービスセッションＩＤ情報等と、上述のステップＳＰ２２においてすでにクライアント端末２に対し発行して認証情報記憶部７７に一時記憶していたサービスセッションＩＤ情報等とを比較するようにしてユーザ認証処理を実行する。
【０２２２】
その結果、認証処理部７５は、例えばクライアント端末２から受信したサービスセッションＩＤ情報等の有効期限が未だ切れてはいないために、そのクライアント端末２を利用するユーザを正規ユーザであると認証すると、当該クライアント端末２からの音楽データ配信用のページ情報の取得要求が正当な要求であると判断する。
【０２２３】
そして制御部７０は、認証処理部７５により、クライアント端末２を利用するユーザが正規ユーザであると認証されると、次のステップＳＰ２５に移る。
【０２２４】
ステップＳＰ２５において、制御部７０は、ページ情報記憶部７６から、ユーザにより取得要求された音楽データ配信用のページ情報を読み出すと共に、認証処理部７５により、クライアント端末２に対して発行していたサービスセッションＩＤ情報等の有効期限を延長させる。
【０２２５】
そして制御部７０は、そのページ情報記憶部７６から読み出した音楽データ配信用のページ情報を、認証処理部７５により有効期限を延長させたサービスセッションＩＤ情報等と共に通信制御部７２及びネットワークインタフェース７３を順次介してクライアント端末２に送信する。
【０２２６】
ステップＳＰ２６において、クライアント端末２の制御部２３は、音楽データ配信サーバＳＶ１から送信された音楽データ配信用のページ情報と、有効期限の延長されたサービスセッションＩＤ情報等とをネットワークインタフェース３３及び通信制御部３２を順次介して受信し、当該受信した音楽データ配信用のページ情報をページ情報生成部３６に送出すると共に、その音楽データ配信サーバＳＶ１から受信したサービスセッションＩＤ情報等を認証処理部３７に送出する。
【０２２７】
これにより認証処理部３７は、制御部２３の制御のもと認証情報記憶部３８において、音楽データ配信サーバＳＶ１から受信された有効期限の延長されているサービスセッションＩＤ情報等をその有効期限が延長される前のサービスセッションＩＤ情報等に上書きするようにして一時記憶することにより、上述のステップＳＰ２３において一時記憶していたサービスセッションＩＤ情報等を有効期限の延長されたサービスセッションＩＤ情報等に更新する。
【０２２８】
またページ情報生成部３６は、音楽データ配信用のページ情報に基づく映像データを生成し、当該生成した映像データを表示制御部２４に送出する。
【０２２９】
これにより表示制御部２４は、ページ情報生成部３６から与えられた映像データに対しディジタルアナログ変換処理を施し、得られたアナログ映像信号を表示部２５に送出することにより当該表示部２５にそのアナログ映像信号に基づく映像として音楽データ配信用のページを表示する。
【０２３０】
（１−７−３）音楽関連サービス提供処理
続いて図１０乃至図１３において、図９について上述したクライアント端末２と、音楽データ配信サーバＳＶ１、物販サーバＳＶ２及びラジオ放送情報配信サーバＳＶ３との間で実行されたユーザ認証処理手順の終了後に、当該ユーザ認証処理手順においてクライアント端末２が音楽データ配信サーバＳＶ１、物販サーバＳＶ２及びラジオ放送情報配信サーバＳＶ３から取得した音楽データ配信用のページ情報、パッケージメディア販売用のページ情報及びオンエアリスト情報配信用のページ情報等を利用して音楽データ配信サービス、物販サービス及びラジオ放送情報配信サービスの提供を受ける際の音楽関連サービス提供処理について説明する。
【０２３１】
（１−７−３−１）音楽データ配信サービス提供処理手順
まず図１０を用いてクライアント端末２が、音楽データ配信サーバＳＶ１から音楽データ配信サービスの提供を受ける際の音楽データ配信サービス提供処理手順について説明する。
【０２３２】
ステップＳＰ３０において、クライアント端末２の制御部２３は、表示部２５に映像として表示された音楽データ配信用のページの一部を選択する制御コマンドが入力処理部２１から入力されると、当該入力された制御コマンドに応じて、ダウンロード希望の音楽データをダウンロード要求するダウンロード要求信号を生成する。
【０２３３】
そして制御部２３は、そのダウンロード要求信号を、すでに音楽データ配信サーバＳＶ１で発行され認証情報記憶部３８に対し一時記憶されているサービスセッションＩＤ情報等と共に通信制御部３２及びネットワークインタフェース３３を順次介して音楽データ配信サーバＳＶ１に送信する。
【０２３４】
ステップＳＰ３１において、音楽データ配信サーバＳＶ１の制御部７０は、クライアント端末２から送信されたダウンロード要求信号と、サービスセッションＩＤ情報等とをネットワークインタフェース７３及び通信制御部７２を順次介して受信し、当該受信したサービスセッションＩＤ情報等を認証処理部７５に送出する。
【０２３５】
これにより認証処理部７５は、制御部７０の制御のもと、クライアント端末２から受信されたサービスセッションＩＤ情報等と、認証情報記憶部７７に対しすでに一時記憶しているサービスセッションＩＤ情報等とを比較するようにしてユーザ認証処理を実行する。
【０２３６】
その結果、制御部７０は、認証処理部７５により、クライアント端末２を利用して音楽データのダウンロードを要求したユーザが正規ユーザであると認証されると、次のステップＳＰ３２に移る。
【０２３７】
ステップＳＰ３２において、検索部７９は、ダウンロード要求信号に格納されている検索キーに基づいて、音楽データ記憶部７８内の複数の音楽データの中から当該検索キーの示す検索条件に該当するダウンロード希望の音楽データを検索する。
【０２３８】
そして制御部７０は、検索部７９により音楽データが検索されると、認証処理部７５により、クライアント端末２に対し発行していたサービスセッションＩＤ情報等の有効期限を延長させて、次のステップＳＰ３３に移る。
【０２３９】
ステップＳＰ３３において制御部７０は、音楽データ記憶部７８から、検索部７９によって検索されたダウンロード希望の音楽データを読み出すと共に、当該読み出したダウンロード希望の音楽データを、認証処理部７５により有効期限の延長されたサービスセッションＩＤ情報等と共に通信制御部７２及びネットワークインタフェース７３を順次介してクライアント端末２に送信する。
【０２４０】
ステップＳＰ３４において、クライアント端末２の制御部２３は、音楽データ配信サーバＳＶ１から送信されたダウンロード希望の音楽データと、有効期限の延長されたサービスセッションＩＤ情報等とをネットワークインタフェース３３及び通信制御部３２を順次介して受信し、当該受信した音楽データを記憶媒体２９に記憶すると共に、その音楽データ配信サーバＳＶ１から受信したサービスセッションＩＤ情報等を認証処理部３７に送出する。
【０２４１】
認証処理部３７は、制御部２３の制御のもと認証情報記憶部３８において、音楽データ配信サーバＳＶ１から受信された有効期限の延長されているサービスセッションＩＤ情報等をその有効期限が延長される前のサービスセッションＩＤ情報等に上書きするようにして一時記憶することにより、当該認証情報記憶部３８に対しすでに一時記憶しているサービスセッションＩＤ情報等の内容を更新する。
【０２４２】
このようにしてクライアント端末２は、音楽データ配信サーバＳＶ１の提供している音楽データ配信サービスを利用して、ユーザにより取得の希望された音楽データをダウンロードすることができる。
【０２４３】
（１−７−３−２）物販サービス提供処理手順
次に図１１を用いてクライアント端末２が、物販サーバＳＶ２から物販サービスの提供を受ける際の物販サービス提供処理手順について説明する。
【０２４４】
ステップＳＰ４０において、クライアント端末２の制御部２３は、表示部２５に映像として表示されたパッケージメディア販売用のページの一部を選択する制御コマンドが入力処理部２１から入力されると、当該入力された制御コマンドに応じた特定のパッケージメディアに関するパッケージメディア情報を要求するメディア情報要求信号を生成する。
【０２４５】
そして制御部２３は、そのメディア情報要求信号を、すでに物販サーバＳＶ２で発行され認証情報記憶部３８に対し一時記憶されているサービスセッションＩＤ情報等と共に通信制御部３２及びネットワークインタフェース３３を順次介して物販サーバＳＶ２に送信する。
【０２４６】
ステップＳＰ４１において、物販サーバＳＶ２の制御部９０は、クライアント端末２から送信されたメディア情報要求信号と、サービスセッションＩＤ情報等とをネットワークインタフェース９３及び通信制御部９２を順次介して受信し、当該受信したサービスセッションＩＤ情報等を認証処理部９５に送出する。
【０２４７】
認証処理部９５は、制御部９０の制御のもと、クライアント端末２から受信されたサービスセッションＩＤ情報等と、認証情報記憶部９７に対しすでに一時記憶しているサービスセッションＩＤ情報等とを比較するようにしてユーザ認証処理を実行する。
【０２４８】
その結果、制御部９０は、認証処理部９５により、クライアント端末２を利用してパッケージメディアに関するパッケージメディア情報を要求したユーザが正規ユーザであると認証されると、次のステップＳＰ４２に移る。
【０２４９】
ステップＳＰ４２において、検索部９９は、メディア情報要求信号に格納されている検索キーに基づいて、パッケージメディア情報記憶部９８内の複数のパッケージメディア情報の中から当該検索キーの示す検索条件に該当する特定のパッケージメディアのパッケージメディア情報を検索する。
【０２５０】
そして制御部９０は、検索部９９によりパッケージメディア情報が検索されると、認証処理部９５により、クライアント端末２に対し発行していたサービスセッションＩＤ情報等の有効期限を延長させて、次のステップＳＰ４３に移る。
【０２５１】
そしてステップＳＰ４３において制御部９０は、パッケージメディア情報記憶部９８から、検索部９９によって検索されたパッケージメディア情報を読み出すと共に、当該読み出したパッケージメディア情報を、認証処理部９５により有効期限の延長されたサービスセッションＩＤ情報等と共に通信制御部９２及びネットワークインタフェース９３を順次介してクライアント端末２に送信する。
【０２５２】
ステップＳＰ４４において、クライアント端末２の制御部２３は、物販サーバＳＶ２から送信されたパッケージメディア情報と、有効期限の延長されたサービスセッションＩＤ情報等とをネットワークインタフェース３３及び通信制御部３２を順次介して受信し、当該受信したパッケージメディア情報をページ情報生成部３６に送出すると共に、その物販サーバＳＶ２から受信したサービスセッションＩＤ情報等を認証処理部３７に送出する。
【０２５３】
認証処理部３７は、制御部２３の制御のもと認証情報記憶部３８において、物販サーバＳＶ２から受信された有効期限の延長されているサービスセッションＩＤ情報等をその有効期限が延長される前のサービスセッションＩＤ情報等に上書きするようにして一時記憶することにより、当該認証情報記憶部３８に対しすでに一時記憶しているサービスセッションＩＤ情報等の内容を更新する。
【０２５４】
またページ情報生成部３６は、制御部２３から与えられたパッケージメディア情報に基づいて映像データを生成し、当該生成した映像データを表示制御部２４によりアナログ映像信号に変換して表示部２５に送出する。
【０２５５】
このようにして制御部２３は、表示部２５に対しそのアナログ映像信号に基づく映像としてパッケージメディア情報を表示させると、次のステップＳＰ４５に移る。
【０２５６】
ステップＳＰ４５において、制御部２３は、表示部２５に映像として表示させたパッケージメディア情報に対応するパッケージメディアを購入要求する制御コマンドが入力処理部２１から入力されると、当該入力された制御コマンドに応じてそのパッケージメディアを購入要求する購入要求信号を生成する。
【０２５７】
そして制御部２３は、その購入要求信号を、すでに物販サーバＳＶ２から受信して認証情報記憶部３８に対し一時記憶されているサービスセッションＩＤ情報等（すなわち、有効期限の延長されたサービスセッションＩＤ情報等）と共に通信制御部３２及びネットワークインタフェース３３を順次介して物販サーバＳＶ２に送信する。
【０２５８】
ステップＳＰ４６において、物販サーバＳＶ２の制御部９０は、クライアント端末２から送信された購入要求信号と、サービスセッションＩＤ情報等とをネットワークインタフェース９３及び通信制御部９２を順次介して受信し、当該受信したサービスセッションＩＤ情報等を認証処理部９５に送出する。
【０２５９】
認証処理部９５は、制御部９０の制御のもと、クライアント端末２から受信されたサービスセッションＩＤ情報等と、認証情報記憶部９７に対しすでに一時記憶しているサービスセッションＩＤ情報等とを比較するようにしてユーザ認証処理を実行する。
【０２６０】
その結果、制御部９０は、認証処理部９５により、クライアント端末２を利用してパッケージメディアの購入を要求したユーザが正規ユーザであると認証されると、次のステップＳＰ４７に移る。
【０２６１】
ステップＳＰ４７において、制御部９０は、クライアント端末２を利用するユーザに対し、購入要求されたパッケージメディアを引き渡すための手続等の購入処理を実行すると共に、当該パッケージメディアの購入に伴うユーザに対する課金処理用の課金情報を通信制御部９２及びネットワークインタフェース９３を順次介して課金サーバＳＶ５に送信することにより、その課金サーバＳＶ５に対し当該ユーザに対するパッケージメディアの購入に応じた課金処理を実行させる。
【０２６２】
また制御部９０は、認証処理部９５により、クライアント端末２に対し発行していたサービスセッションＩＤ情報等の有効期限を延長させる。
【０２６３】
ステップＳＰ４８において、制御部９０は、課金処理終了後、パッケージメディアの購入処理が完了したことを示す購入完了ページ情報を、認証処理部９５により有効期限の延長されたサービスセッションＩＤ情報等と共に通信制御部９２及びネットワークインタフェース９３を順次介してクライアント端末２に送信する。
【０２６４】
ステップＳＰ４９において、クライアント端末２の制御部２３は、物販サーバＳＶ２から送信された購入完了ページ情報と、有効期限の延長されたサービスセッションＩＤ情報等とをネットワークインタフェース３３及び通信制御部３２を順次介して受信し、当該受信した購入完了ページ情報をページ情報生成部３６に送出すると共に、その物販サーバＳＶ２から受信したサービスセッションＩＤ情報等を認証処理部３７に送出する。
【０２６５】
認証処理部３７は、制御部２３の制御のもと認証情報記憶部３８において、物販サーバＳＶ２から受信された有効期限の延長されているサービスセッションＩＤ情報等をその有効期限が延長される前のサービスセッションＩＤ情報等に上書きするようにして一時記憶することにより、当該認証情報記憶部３８に対しすでに一時記憶しているサービスセッションＩＤ情報等の内容を更新する。
【０２６６】
またページ情報生成部３６は、制御部２３から与えられた購入完了ページ情報に基づく映像データを生成し、当該生成した映像データを表示制御部２４によりアナログ映像信号に変換して表示部２５に送出する。
【０２６７】
これにより制御部２３は、表示部２５に対しそのアナログ映像信号に基づく映像として購入完了ページを表示させる。
【０２６８】
このようにしてクライアント端末２は、物販サーバＳＶ２の提供している物販サービスを利用して、ユーザに対して所望のパッケージメディアを購入させることができる。
【０２６９】
（１−７−３−３）オンエアリスト情報配信サービス提供処理手順
次に図１２を用いてクライアント端末２が、ラジオ放送情報配信サーバＳＶ３からラジオ放送情報配信サービスとして特にオンエアリスト情報配信サービスの提供を受ける際のラジオ放送情報配信サービス提供処理手順について説明する。
【０２７０】
ステップＳＰ６０において、クライアント端末２の制御部２３は、表示部２５に映像として表示させたオンエアリスト情報配信用のページ上で入力ボックスに対し取得希望のオンエアリスト情報検索用の検索キーが入力され、当該入力された検索キーを示す文字列に対応する制御コマンドが入力処理部２１から入力されると、当該入力された制御コマンドに応じて、取得希望のオンエアリスト情報をダウンロード要求するオンエアリスト情報要求信号を生成する。
【０２７１】
そして制御部２３は、そのオンエアリスト情報要求信号を、すでにラジオ放送情報配信サーバＳＶ３で発行され認証情報記憶部３８に対し一時記憶されているサービスセッションＩＤ情報等と共に通信制御部３２及びネットワークインタフェース３３を順次介してラジオ放送情報配信サーバＳＶ３に送信する。
【０２７２】
ステップＳＰ６１において、ラジオ放送情報配信サーバＳＶ３の制御部１１０は、クライアント端末２から送信されたオンエアリスト情報要求信号と、サービスセッションＩＤ情報等とをネットワークインタフェース１１３及び通信制御部１１２を順次介して受信し、当該受信したサービスセッションＩＤ情報等を認証処理部１１５に送出する。
【０２７３】
認証処理部１１５は、制御部１１０の制御のもと、クライアント端末２から受信されたサービスセッションＩＤ情報等と、認証情報記憶部１２０に対しすでに一時記憶しているサービスセッションＩＤ情報等とを比較するようにしてユーザ認証処理を実行する。
【０２７４】
その結果、制御部１１０は、認証処理部１１５により、クライアント端末２を利用してオンエアリスト情報を要求したユーザが正規ユーザであると認証されると、次のステップＳＰ６２に移る。
【０２７５】
ステップＳＰ６２において、検索部１１８は、オンエアリスト情報要求信号に格納されている検索キーに基づいて、オンエアリスト情報記憶部１１７内のオンエアリスト情報全体に対し、当該検索キーの示す検索条件に該当する所定範囲部分を取得希望のオンエアリスト情報として検索する。
【０２７６】
そして制御部１１０は、検索部１１８によりオンエアリスト情報が検索されると、認証処理部１１５により、クライアント端末２に対し発行していたサービスセッションＩＤ情報等の有効期限を延長させて、次のステップＳＰ６３に移る。
【０２７７】
そしてステップＳＰ６３において制御部１１０は、オンエアリスト情報記憶部１１７から、検索部１１８によって検索されたオンエアリスト情報を読み出すと共に、当該読み出したオンエアリスト情報を、認証処理部１１５により有効期限の延長されたサービスセッションＩＤ情報等と共に通信制御部１１２及びネットワークインタフェース１１３を順次介してクライアント端末２に送信する。
【０２７８】
ステップＳＰ６４において、クライアント端末２の制御部２３は、ラジオ放送情報配信サーバＳＶ３から送信されたオンエアリスト情報と、有効期限の延長されたサービスセッションＩＤ情報等とをネットワークインタフェース３３及び通信制御部３２を順次介して受信し、当該受信したオンエアリスト情報をページ情報生成部３６に送出すると共に、そのラジオ放送情報配信サーバＳＶ３から受信したサービスセッションＩＤ情報等を認証処理部３７に送出する。
【０２７９】
認証処理部３７は、制御部２３の制御のもと認証情報記憶部３８において、ラジオ放送情報配信サーバＳＶ３から受信された有効期限の延長されているサービスセッションＩＤ情報等をその有効期限が延長される前のサービスセッションＩＤ情報等に上書きするようにして一時記憶することにより、当該認証情報記憶部３８に対しすでに一時記憶しているサービスセッションＩＤ情報等の内容を更新する。
【０２８０】
またページ情報生成部３６は、制御部２３から与えられたオンエアリスト情報に基づいて映像データを生成し、当該生成した映像データを表示制御部２４によりアナログ映像信号に変換して表示部２５に送出することにより当該表示部２５に対しそのアナログ映像信号に基づく映像としてオンエアリスト情報を表示させる。
【０２８１】
このようにしてクライアント端末２は、ラジオ放送情報配信サーバＳＶ３の提供しているラジオ放送情報配信サービスを利用して、ユーザに対して所望のオンエアリスト情報を取得させることができる。
【０２８２】
（１−７−３−４）ナウオンエア情報配信サービス提供処理手順
次に図１３を用いてクライアント端末２が、ラジオ放送情報配信サーバＳＶ３からラジオ放送情報配信サービスとして特にナウオンエア情報配信サービスの提供を受ける際のラジオ放送情報配信サービス提供処理手順について説明する。
【０２８３】
ただしナウオンエア情報を提供するラジオ放送情報配信サーバＳＶ３は、ラジオ局（コールサイン）毎に設けられている。
【０２８４】
そしてクライアント端末２には、初期状態において、各ラジオ局に対応するラジオ放送情報配信サーバＳＶ３のＵＲＬ情報が記憶されていない場合がある。
【０２８５】
そのため以下のラジオ放送情報配信サービス提供処理手順については、各ラジオ放送情報配信サーバＳＶ３のＵＲＬ情報をラジオ局のコールサイン毎にポータルサーバ３が管理している場合を例に挙げて説明する。
【０２８６】
またかかるラジオ放送情報配信サービス提供処理手順では、クライアント端末２が、ラジオ局毎の放送周波数を自動プリセットするためにポータルサーバ３に対して当該放送周波数を示す周波数情報を要求するときに、認証情報記憶部３８に対し認証セッションＩＤ情報等を一時記憶してはいない場合を想定している。
【０２８７】
このため、まずクライアント端末２は、ポータルサーバ３に対しユーザＩＤ情報及びパスワード情報等を送信することになる。
【０２８８】
ステップＳＰ７０において、クライアント端末２の制御部２３は、入力処理部２１から各ラジオ局の放送周波数を自動プリセットするように要求する操作コマンドが入力されると、これに応じて各ラジオ局の受信可能な放送周波数の周波数情報を取得要求する周波数情報要求信号を、ユーザにより入力された地域コードと、認証情報記憶部３８に記憶されているユーザＩＤ情報及びパスワード情報等と共に通信制御部３２及びネットワークインタフェース３３を順次介してポータルサーバ３に送信する。
【０２８９】
ステップＳＰ７１において、ポータルサーバ３の制御部５０は、クライアント端末２から送信された周波数情報要求信号、地域コード、ユーザＩＤ情報及びパスワード情報等をネットワークインタフェース５３及び通信制御部５２を順次介して受信し、そのクライアント端末２から受信したユーザＩＤ情報及びパスワード情報等を認証処理部５６に送出する。
【０２９０】
認証処理部５６は、制御部５０の制御のもと、クライアント端末２から受信されたユーザＩＤ情報及びパスワード情報等と、顧客データベース部５４に登録している顧客情報とを比較するようにしてユーザ認証処理を実行する。
【０２９１】
その結果、認証処理部５６は、クライアント端末２を利用するユーザを正規ユーザであると認証し、当該クライアント端末２からの周波数情報の取得要求が正当な要求であると判断すると、制御部５０の制御のもと、現時点のクライアント端末２とポータルサーバ３との通信接続状態に対する認証セッションＩＤ情報等を発行し、当該発行した認証セッションＩＤ情報等を認証情報記憶部５７に一時記憶する。
【０２９２】
そして制御部５０は、このように認証処理部５６によりユーザが正規ユーザであると認証されると、次のステップＳＰ７２に移る。
【０２９３】
ステップＳＰ７２において、制御部５０は、クライアント端末２から受信した地域コードに基づいて、周波数情報記憶部５８内の複数の周波数情報、ラジオ局名及びコールサインのリストの中から当該地域コードに対応する周波数情報、ラジオ局名及びコールサインを検索してリスト化し読み出す。
【０２９４】
これにより制御部５０は、周波数情報記憶部５８からリスト化して読み出した周波数情報、ラジオ局名及びコールサインを、上述のステップＳＰ７１において認証処理部５６によりクライアント端末２に対して発行された認証セッションＩＤ情報等と共に通信制御部５２及びネットワークインタフェース５３を順次介してクライアント端末２に送信する。
【０２９５】
ステップＳＰ７３において、クライアント端末２の制御部２３は、ポータルサーバ３から送信された周波数情報、ラジオ局名及びコールサインのリストと、認証セッションＩＤ情報等とをネットワークインタフェース３３及び通信制御部３２を順次介して受信し、当該ポータルサーバ３から受信した認証セッションＩＤ情報等を認証処理部３７に送出すると共に、周波数情報、ラジオ局名及びコールサインのリストを表示制御部２４に送出する。
【０２９６】
これにより認証処理部３７は、制御部２３の制御のもと、ポータルサーバ３から受信された認証セッションＩＤ情報等を認証情報記憶部３８に一時記憶する。
【０２９７】
また表示制御部２４は、制御部２３から与えられた周波数情報、ラジオ局名及びコールサインのリストを表示部２５に送出することにより当該表示部２５に対しそのリストを表示させる。
【０２９８】
さらに制御部２３は、このとき入力処理部２１から入力される選択コマンドに基づき、選択された周波数情報、ラジオ局名及びコールサインを記憶媒体２９にプリセットとして記憶して、次のステップＳＰ７４に移る。
【０２９９】
ステップＳＰ７４において、制御部２３は、入力処理部２１から入力されるチューニング制御コマンドに応じて、チューナ部３１を、ラジオ放送波の中からチューニング制御コマンドに対応する放送周波数で放送されているラジオ放送のラジオ放送信号を抽出するように制御する。
【０３００】
これによりチューナ部３１は、放送信号受信部３０により受信されたラジオ放送波の中から、その放送周波数で放送されているラジオ放送信号を抽出して復号等の所定の受信処理を施し、この結果得られた音声データを音声制御部２６に送出する。
【０３０１】
従って音声制御部２６は、チューナ部３１から与えられる音声データをアナログ音声信号に変換してスピーカ２７に送出することにより当該スピーカ２７から、選択されたラジオ番組の音声を出力させることができる。
【０３０２】
ステップＳＰ７５において、ラジオ放送表示制御部３９は、制御部２３の制御のもと、記憶媒体２９から、上述のチューニング制御コマンドに対応する放送周波数を示す周波数情報に対応して記憶されているコールサインを読み出すと共に、当該読み出したコールサインを、認証情報記憶部３８に対しすでに一時記憶されている認証セッションＩＤ情報等と共に通信制御部３２及びネットワークインタフェース３３を順次介してポータルサーバ３に送信する。
【０３０３】
ステップＳＰ７６において、ポータルサーバ３の制御部５０は、クライアント端末２から送信されたコールサイン及び認証セッションＩＤ情報等をネットワークインタフェース５３及び通信制御部５２を順次介して受信し、当該受信した認証セッションＩＤ情報等を認証処理部５６に送出する。
【０３０４】
認証処理部５６は、制御部５０の制御のもと、クライアント端末２から受信された認証セッションＩＤ情報等と、認証情報記憶部５７に対しすでに一時記憶している認証セッションＩＤ情報等とを比較するようにしてユーザ認証処理を実行する。
【０３０５】
その結果、制御部５０は、認証処理部５６により、クライアント端末２から受信した認証セッションＩＤ情報等が有効期限内のものであり、当該クライアント端末２を利用してコールサインを送信したユーザが正規ユーザであると認証されると、次のステップＳＰ７７に移る。
【０３０６】
ステップＳＰ７７において、制御部５０は、クライアント端末２から受信したコールサインに基づいて、ＵＲＬ記憶部５９内の複数のＵＲＬ情報の中から当該コールサインに対応付けられたＵＲＬ情報を検索する。
【０３０７】
また制御部５０は、認証処理部５６により、クライアント端末２に対し発行していた認証セッションＩＤ情報等の有効期限を延長させる。
【０３０８】
そして制御部５０は、ＵＲＬ記憶部５９から、その検索したＵＲＬ情報を読み出すと共に、当該読み出したＵＲＬ情報を、認証処理部５６により有効期限の延長された認証セッションＩＤ情報等と共に通信制御部５２及びネットワークインタフェース５３を順次介してクライアント端末２に送信する。
【０３０９】
ステップＳＰ７８において、クライアント端末２の制御部２３は、ポータルサーバ３から送信されたＵＲＬ情報と、有効期限の延長された認証セッションＩＤ情報等とをネットワークインタフェース３３及び通信制御部３２を順次介して受信し、当該受信した認証セッションＩＤ情報等を認証処理部３７に送出すると共に、ＵＲＬ情報をラジオ放送表示制御部３９に送出する。
【０３１０】
認証処理部３７は、制御部２３の制御のもと認証情報記憶部３８において、ポータルサーバ３から受信された有効期限の延長されている認証セッションＩＤ情報等をその有効期限が延長される前の認証セッションＩＤ情報等に上書きするようにして一時記憶することにより、当該認証情報記憶部３８に対しすでに一時記憶している認証セッションＩＤ情報等の内容を更新する。
【０３１１】
またラジオ放送表示制御部３９は、制御部２３の制御のもとに、当該制御部２３から与えられたＵＲＬ情報を、記憶媒体２９に記憶しているコールサインに対応付けて記憶媒体２９等に一時記憶する。
【０３１２】
そしてラジオ放送表示制御部３９は、制御部２３の制御のもとに、記憶媒体２９等に一時記憶したＵＲＬ情報に従って、ナウオンエア情報を取得要求するナウオンエア情報要求信号を、すでにラジオ放送情報配信サーバＳＶ３から受信され認証情報記憶部３８に対し一時記憶されているサービスセッションＩＤ情報等と共に通信制御部３２及びネットワークインタフェース３３を順次介してラジオ放送情報配信サーバＳＶ３に送信する。
【０３１３】
ここでかかるラジオ放送情報配信サービス提供処理手順では、ステップＳＰ７８においてクライアント端末２からナウオンエア情報要求信号及びサービスセッションＩＤ情報等をラジオ放送情報配信サーバＳＶ３に送信する処理が、図９について上述したステップＳＰ１０の処理に対応している。
【０３１４】
従ってこのラジオ放送情報配信サービス提供処理手順では、ステップＳＰ７８の処理に引き続き、クライアント端末２及びラジオ放送情報配信サーバＳＶ３並びにポータルサーバ３において、図９について上述したステップＳＰ１１乃至ステップＳＰ１３及びステップＳＰ１８乃至ステップＳＰ２２と同様のユーザ認証処理を順次実行した後、続くステップＳＰ７９に移る。
【０３１５】
ステップＳＰ７９において、クライアント端末２のラジオ放送表示制御部３９は、制御部２３の制御のもとに再び、記憶媒体２９等に一時記憶していたＵＲＬ情報に従ってナウオンエア情報要求信号を、すでにラジオ放送情報配信サーバＳＶ３から受信して認証情報記憶部３８に対し一時記憶されているサービスセッションＩＤ情報等と共に通信制御部３２及びネットワークインタフェース３３を順次介してラジオ放送情報配信サーバＳＶ３に送信する。
【０３１６】
ステップＳＰ８０において、ラジオ放送情報配信サーバＳＶ３の制御部１１０は、クライアント端末２から送信されたナウオンエア情報要求信号と、サービスセッションＩＤ情報等とをネットワークインタフェース１１３及び通信制御部１１２を順次介して受信し、当該受信した認証セッションＩＤ情報等を認証処理部１１５に送出する。
【０３１７】
これにより認証処理部１１５は、制御部１１０の制御のもと、クライアント端末２から受信されたサービスセッションＩＤ情報等と、認証情報記憶部１２０に対しすでに一時記憶しているサービスセッションＩＤ情報等とを比較するようにしてユーザ認証処理を実行する。
【０３１８】
その結果、認証処理部１１５は、クライアント端末２を利用するユーザを正規ユーザであると認証すると、当該クライアント端末２からのナウオンエア情報の取得要求が正当な要求であると判断する。
【０３１９】
そして制御部１１０は、認証処理部１１５により、クライアント端末２を利用するユーザが正規ユーザであると認証されると、当該認証処理部１１５により、そのクライアント端末２に対し発行していたサービスセッションＩＤ情報等の有効期限を延長させて、次のステップＳＰ８１に移る。
【０３２０】
ステップＳＰ８１において、制御部１１０は、ナウオンエア情報記憶部１１９からナウオンエア情報を読み出し、当該読み出したナウオンエア情報を、認証処理部１１５により有効期限の延長されたサービスセッションＩＤ情報等と共に通信制御部１１２及びネットワークインタフェース１１３を順次介してクライアント端末２に送信する。
【０３２１】
ステップＳＰ８２において、クライアント端末２の制御部２３は、ラジオ放送情報配信サーバＳＶ３から送信されたナウオンエア情報と、有効期限の延長されたサービスセッションＩＤ情報等とをネットワークインタフェース３３及び通信制御部３２を順次介して受信し、当該受信したサービスセッションＩＤ情報等を認証処理部３７に送出すると共に、ナウオンエア情報をラジオ放送表示制御部３９に送出する。
【０３２２】
これにより認証処理部３７は、制御部２３の制御のもと認証情報記憶部３８において、ラジオ放送情報配信サーバＳＶ３から受信された有効期限の延長されているサービスセッションＩＤ情報等をその有効期限が延長される前のサービスセッションＩＤ情報等に上書きするようにして一時記憶することにより、当該認証情報記憶部３８に対しすでに一時記憶しているサービスセッションＩＤ情報等の内容を更新する。
【０３２３】
またラジオ放送表示制御部３９は、制御部２３から与えられたナウオンエア情報を表示制御部２４を介して表示部２５に送出することにより、当該表示部２５に対し、現在受信中のラジオ放送のラジオ番組に関するナウオンエア情報を表示させる。
【０３２４】
そしてかかるラジオ放送情報配信サービス提供処理手順では、この後、クライアント端末２がステップＳＰ７９におけるナウオンエア情報の取得要求を定期的に繰り返し実行すると共に、ラジオ放送情報配信サーバＳＶ３がクライアント端末２からその取得要求を受けてステップＳＰ８０及びステップＳＰ８１の処理を順次実行する。
【０３２５】
これによりクライアント端末２では、現在受信中のラジオ番組の番組名、番組放送開始時刻、番組放送終了時刻、そのラジオ番組内で現在流れている楽曲のタイトル、アーティスト名、楽曲放送開始時刻等をナウオンエア情報として時々刻々と更新しながらクライアント端末２の表示部２５に表示することができる。
【０３２６】
（１−８）クライアント端末２のハードウェア回路ブロック構成
（１−８−１）回路構成
次にクライアント端末２のハードウェア回路ブロックによるハードウェア構成を説明する。
【０３２７】
かかるクライアント端末２のハードウェア回路ブロックによるハードウェア構成では、一部の機能を後述するソフトウェアモジュールに従って実現している。
【０３２８】
図１４に示すようにクライアント端末２は、その筐体表面やリモートコントローラ（図示せず）に設けられた各種操作ボタンでなる操作入力部２００がユーザによって操作されると、当該操作入力部２００でこれを認識し、当該操作に応じた操作入力信号を入力処理部２０１へ送出する。
【０３２９】
入力処理部２０１は、供給される操作入力信号に対して所定の処理を施すことにより、当該操作入力信号を操作コマンドに変換し、これをバス２０２を介してＣＰＵ（Ｃｅｎｔｒａｌ  Ｐｒｏｃｅｓｓｉｎｇ  Ｕｎｉｔ）２０３に供給する。
【０３３０】
ＣＰＵ２０３は、ＲＯＭ（Ｒｅａｄ  Ｏｎｌｙ  Ｍｅｍｏｒｙ）２０４に予め格納されている基本プログラムやアプリケーションプログラム等の各種プログラムをバス２０２を介してＲＡＭ（Ｒａｎｄｏｍ  Ａｃｃｅｓｓ  Ｍｅｍｏｒｙ）２０５に読み出し、これら各種プログラムに従って全体を制御すると共に、所定の演算処理や、入力処理部２０１から供給される操作コマンドに応じた各種処理を実行する。
【０３３１】
ディスプレイ２０６は、例えば液晶ディスプレイ等の表示デバイスであって、筐体表面に直接取り付けられている場合や外付けされている場合がある。
【０３３２】
そしてディスプレイ２０６は、ＣＰＵ２０３による処理結果や各種映像データが表示処理部２０７を介してアナログ映像信号として供給されると、当該アナログ映像信号に基づく映像を表示する。
【０３３３】
メディアドライブ２０８は、例えばＣＤに記録されたコンテンツデータや、フラッシュメモリが外装ケースに内包されるメモリスティック（登録商標）に記録されたコンテンツデータを読み出して再生し、又は当該ＣＤやメモリスティックに対し記録対象のコンテンツデータを記録する。
【０３３４】
そしてメディアドライブ２０８は、ＣＤやメモリスティックからコンテンツデータとして映像データを読み出したときには、当該再生した映像データをバス２０２を介して表示処理部２０７に供給する。
【０３３５】
またメディアドライブ２０８は、ＣＤやメモリスティックからコンテンツデータとして音声データを読み出したときには、当該再生した音声データを音声処理部２０９に供給する。
【０３３６】
表示処理部２０７は、バス２０２を介して供給される映像データに対してディジタルアナログ変換処理を施し、その結果得られるアナログ映像信号をディスプレイ２０６に供給することにより、当該ディスプレイ２０６にそのアナログ映像信号に基づく映像を表示させる。
【０３３７】
また音声処理部２０９は、バス２０２を介して供給される音声データに対してディジタルアナログ変換処理を施し、その結果得られるアナログ音声信号を２チャンネルのスピーカ２１０に送出することにより、当該スピーカ２１０からそのアナログ音声信号に基づくステレオ音声を出力させる。
【０３３８】
さらにＣＰＵ２０３は、メディアドライブ２０８で読み出したコンテンツデータをバス２０２を介してハードディスクドライブ２１１に送出することにより、当該ハードディスクドライブ２１１にそのコンテンツデータをコンテンツファイルとして記憶し得るようにもなされている。
【０３３９】
因みにＣＰＵ２０３は、ハードディスクドライブ２１１に対して記憶したコンテンツデータを、図３について上述したディレクトリ構成で管理している。
【０３４０】
そしてＣＰＵ２０３は、ハードディスクドライブ２１１に記憶したコンテンツファイルを当該ハードディスクドライブ２１１からコンテンツデータとして読み出すこともできる。
【０３４１】
なおＣＰＵ２０３は、ハードディスクドライブ２１１からコンテンツデータとして映像データを読み出したときには、当該読み出した映像データをバス２０２を介して表示処理部２０７に供給する。
【０３４２】
またＣＰＵ２０３は、ハードディスクドライブ２１１からコンテンツデータとして音声データを読み出したときには、当該読み出した音声データを音声処理部２０９に供給する。
【０３４３】
アンテナ２１２は、各ラジオ局から送信されてくるラジオ放送波を受信し、これをＡＭ／ＦＭチューナでなるチューナ２１３に送出する。
【０３４４】
チューナ２１３は、ＣＰＵ２０３の制御のもと、アンテナ２１２を介して受信されたラジオ放送波の中から例えば操作入力部２００を介して指定されたラジオ局に対応する放送周波数のラジオ放送信号を抽出して所定の受信処理を施し、この結果得られる音声データをバス２０２を介して音声処理部２０９に供給する。
【０３４５】
音声処理部２０９は、チューナ２１３から与えられた音声データをアナログ音声信号に変換してスピーカ２１０に送出することにより、当該スピーカ２１０からラジオ局で放送されているラジオ番組の番組音声を出力させ、かくしてユーザに対しラジオ番組の番組音声を聴取させることができる。
【０３４６】
またＣＰＵ２０３は、チューナ２１３で得られた音声データをハードディスクドライブ２１１に送出して記録することにより、ラジオ番組の番組音声を録音することもできる。
【０３４７】
さらにＣＰＵ２０３は、通信処理部２１４、ネットワークインタフェース２１５を順次介してネットワークＮＴに接続し、当該ネットワークＮＴ上のポータルサーバ３やその他サーバＳＶ１乃至ＳＶ４にアクセスすることができ、これによりポータルサーバ３やその他サーバＳＶ１乃至ＳＶ４との間で各種データを送受信することができる。
【０３４８】
（１−８−２）プログラムモジュール構成
図１５に示すように、上述の図１４に示したハードウェア回路ブロックによるハードウェア構成のクライアント端末２に実装されるプログラムモジュールとしては、ＯＳ上で動作するようになされており、ポータルサーバ３やその他サーバＳＶ１乃至ＳＶ４との間でやりとりを行う。
【０３４９】
ＨＴＴＰ（Ｈｙｐｅｒ  Ｔｅｘｔ  Ｔｒａｎｓｆｅｒ  Ｐｒｏｔｏｃｏｌ）メッセージプログラム２４０は、ポータルサーバ３やその他サーバＳＶ１乃至ＳＶ４との間のやりとりをＨＴＴＰ通信で行うものであり、コミュニケータプログラム２４１は、ＨＴＴＰメッセージプログラム２４０とデータのやりとりを行うプログラムモジュールである。
【０３５０】
コミュニケータプログラム２４１の上位には、コンテンツのコーデックを解釈して再生するコンテンツ再生モジュール２４２、著作権保護に関する情報を取り扱う著作権保護管理モジュール２４３が位置し、そのコンテンツ再生モジュール２４２、著作権保護管理モジュール２４３の上位に対して、インターネットラジオの選局及び再生を行うインターネットラジオ選局再生モジュール２４４、楽曲購入及び試聴曲の再生を司る楽曲購入再生モジュール２４５がそれぞれ位置している。
【０３５１】
インターネットラジオ選局再生モジュール２４４と、楽曲購入再生モジュール２４５とにより再生された音声データは、音声処理部２０９に転送されることにより、最終的にスピーカ２１０から音声として出力される。
【０３５２】
インターネットラジオ選局再生モジュール２４４、楽曲購入再生モジュール２４５の上位にはＸＭＬブラウザ２４６が位置し、各種サーバからのＸＭＬファイルを解釈し、ディスプレイ２０６に対して映像表示を行う。
【０３５３】
例えば、ＸＭＬブラウザ２４６を介してユーザに選択された楽曲は楽曲購入再生モジュール２４５で購入処理され、ハードディスクコンテンツコントローラ２４７を介してハードディスクドライブ２１１に書き込まれる。
【０３５４】
なおコミュニケータプログラム２４１には、ライブラリ２４８の認証ライブラリ２４８Ａが接続されており、当該認証ライブラリ２４８Ａはポータルサーバ３等と連携して各種認証処理を行うようになされている。
【０３５５】
さらにコミュニケータプログラム２４１の上位には、データベースアクセスモジュール２４９、コンテンツデータアクセスモジュール２５０及びハードディスクコンテンツコントローラ２４７が位置する。
【０３５６】
このデータベースアクセスモジュール２４９は、ハードディスクドライブ２１１に構築された各種データベースにアクセスし、コンテンツデータアクセスモジュール２５０はハードディスクドライブ２１１に格納されたコンテンツデータにアクセスし、ハードディスクコンテンツコントローラ２４７はハードディスクドライブ２１１に格納されたコンテンツデータを管理するようになされている。
【０３５７】
ハードディスクコンテンツコントローラ２４７の上位には、ラジオ局が放送した楽曲のタイトルやアーティスト名等を表示するためのラジオ放送情報表示モジュール２５１、及びラジオ局を選局したり、当該ラジオ局から受信した楽曲としてのコンテンツデータをハードディスクドライブ２１１に記憶（録音）するチューナ選局再生／録音モジュール２５２が位置している。
【０３５８】
例えば、オーディオユーザインタフェース２５３を介して選局されたラジオ局から受信した楽曲は、コンテンツデータアクセスモジュール２５０を介してハードディスクドライブ２１１へ書き込まれるようになされている。
【０３５９】
またチューナ選局再生／録音モジュール２５２により再生されたコンテンツデータとしての音声データは、音声処理部２０９に転送されることにより、最終的にスピーカ２１０から音声として出力される。
【０３６０】
ラジオ放送情報表示モジュール２５１は、チューナ選局再生／録音モジュール２５２によって現在ラジオ局が放送している楽曲のタイトルやアーティスト名等のナウオンエア情報のようなラジオ放送情報をラジオ放送情報配信サーバＳＶ３からＨＴＴＰメッセージプログラム２４０経由で受信し、これをオーディオユーザインタフェース（ＵＩ）２５３を介してディスプレイ２０６に表示する。
【０３６１】
なおオーディオユーザインタフェース２５３を介してディスプレイ２０６に表示したラジオ放送情報は、ライブラリ２４８のクリップライブラリ２４８Ｂに一時的に記憶することもでき、ユーザからの指示に従って最終的にはデータベースアクセスモジュール２４９を介してハードディスクドライブ２１１へ記憶される。
【０３６２】
ＣＤ再生モジュール２５４は、メディアドライブ２０８に対してＣＤを再生するように制御する。
【０３６３】
そしてＣＤ再生モジュール２５４によりＣＤから再生された音声データは、音声処理部２０９に転送されることにより、最終的にスピーカ２１０から音声として出力される。
【０３６４】
ＨＤＤ再生モジュール２５５は、図示はしていないが、ハードディスクコンテンツコントローラ２４７及び著作権保護管理モジュール２４３と接続されている。
【０３６５】
これによりＨＤＤ再生モジュール２５５は、ハードディスクコンテンツコントローラ２４７の制御のもとにハードディスクドライブ２１１から読み出されたコンテンツデータとしての音声データを、著作権保護管理モジュール２４３から供給される著作権管理情報に従って再生する。
【０３６６】
そしてＨＤＤ再生モジュール２５５により著作権管理情報に従って再生された音声データは、音声処理部２０９に転送されることにより、最終的にスピーカ２１０から音声として出力される。
【０３６７】
リッピングモジュール２５６は、図示はしていないが、ハードディスクコンテンツコントローラ２４７及び著作権保護管理モジュール２４３と接続されている。
【０３６８】
これによりリッピングモジュール２５６は、ＣＤ再生モジュール２５４によりＣＤから再生された音声データを、著作権保護管理モジュール２４３から供給される、その音声データを管理するための著作権管理情報と共に、ハードディスクコンテンツコントローラ２４７の制御のもとハードディスクドライブ２１１のハードディスクに記憶される（すなわち、リッピングされる）ように、ＣＤ再生モジュール２５４、著作権保護管理モジュール２４３及びハードディスクコンテンツコントローラ２４７を制御する。
【０３６９】
ところで以上説明したプログラムモジュールにおいてＨＴＴＰメッセージプログラム２４０及びコミュニケータプログラム２４１は、図２について上述したクライアント端末２の通信制御部３２と同様の機能を実現可能なプログラムモジュールである。
【０３７０】
またコンテンツ再生モジュール２４２は、図２について上述したクライアント端末２のエンコーダ／デコーダ部３４と同様の機能を実現可能なプログラムモジュールである。
【０３７１】
さらに著作権保護管理モジュール２４３は、図２について上述したクライアント端末２の著作権管理部３５と同様の機能を実現可能なプログラムモジュールである。
【０３７２】
さらにインターネットラジオ選局再生モジュール２４４は、図２について上述したクライアント端末２の制御部２３及び音声制御部２６と同様の機能を実現可能なプログラムモジュールである。
【０３７３】
さらに楽曲購入再生モジュール２４５は、図２について上述したクライアント端末２の制御部２３及び音声制御部２６と同様の機能を実現可能なプログラムモジュールである。
【０３７４】
さらにＸＭＬブラウザ２４６は、図２について上述したクライアント端末２の入力処理部２１及びページ情報生成部３６と同様の機能を実現可能なプログラムモジュールである。
【０３７５】
さらにハードディスクコンテンツコントローラ２４７及びデータベースアクセスモジュール２４９並びにコンテンツデータアクセスモジュール２５０は、図２について上述したクライアント端末２の制御部２３と同様の機能を実現可能なプログラムモジュールである。
【０３７６】
さらにライブラリ２４８の認証ライブラリ２４８Ａは、図２について上述したクライアント端末２の認証処理部３７及び認証情報記憶部３８と同様の機能を実現可能なプログラムモジュールである。
【０３７７】
さらにライブラリ２４８のクリップライブラリ２４８Ｂは、図２について上述したクライアント端末２の制御部２３と同様の機能を実現可能なプログラムモジュールである。
【０３７８】
さらにラジオ放送情報表示モジュール２５１は、図２について上述したクライアント端末２のラジオ放送表示制御部３９と同様の機能を実現可能なプログラムモジュールである。
【０３７９】
さらにチューナ選局再生／録音モジュール２５２は、図２について上述したクライアント端末２の制御部２３及び音声制御部２６並びにチューナ部３１と同様の機能を実現可能なプログラムモジュールである。
【０３８０】
さらにオーディオユーザインタフェース２５３は、図２について上述したクライアント端末２の入力処理部２１及び制御部２３並びに表示制御部２４と同様の機能を実現可能なプログラムモジュールである。
【０３８１】
さらにＣＤ再生モジュール２５４は、図２について上述したクライアント端末２の音声制御部２６及び外部記録媒体記録再生部２８と同様の機能を実現可能なプログラムモジュールである。
【０３８２】
さらにＨＤＤ再生モジュール２５５は、図２について上述したクライアント端末２の制御部２３及び音声制御部２６と同様の機能を実現可能なプログラムモジュールである。
【０３８３】
さらにリッピングモジュール２５６は、図２について上述したクライアント端末２の制御部２３及び外部記録媒体記録再生部２８並びにエンコーダ／デコーダ部３４と同様の機能を実現可能なプログラムモジュールである。
【０３８４】
従って図１４について上述したハードウェア回路ブロックによるハードウェア構成のクライアント端末２では、ＣＰＵ２０３が上述の各種プログラムモジュールに従って、図２について上述した機能回路ブロックによるハードウェア構成のクライアント端末２と同様の処理を実行することができる。
【０３８５】
（１−９）ポータルサーバの構成
図１６に示すポータルサーバ３は、全体を統括的に制御するＣＰＵ２６０が、ＲＯＭ２６１又はハードディスクドライブ２６２に記憶されている基本プログラムや各種プログラムを、バス２６３を介してＲＡＭ２６４に適宜展開しこれを実行することにより、ユーザ認証処理等の各種処理を行う。
【０３８６】
例えばポータルサーバ３のＣＰＵ２６０は、クライアント端末２からネットワークＮＴ及びネットワークインタフェース２６５を順次介してユーザＩＤ情報及びパスワード等を受信すると、ユーザ認証処理を開始するようになされている。
【０３８７】
すなわちかかるハードウェア回路ブロック構成のポータルサーバ３でも、図４について上述した機能回路ブロック構成のポータルサーバ３の機能に応じて、ＲＯＭ２６１又はハードディスクドライブ２６２に記憶させる各種プログラムを適宜選定することにより、ＣＰＵ２６０を当該ポータルサーバ３の制御部５０、通信制御部５２及び認証処理部５６と同様に機能させることができると共に、ハードディスクドライブ２６２をそのポータルサーバ３の顧客データベース部５４、ページ情報記憶部５５、認証情報記憶部５７、周波数情報記憶部５８及びＵＲＬ記憶部５９と同様に用いることができる。
【０３８８】
（１−１０）音楽データ配信サーバの構成
図１７に示す音楽データ配信サーバＳＶ１は、全体を統括的に制御するＣＰＵ２７０が、ＲＯＭ２７１又はハードディスクドライブ２７２に記憶されている基本プログラムや各種プログラムを、バス２７３を介してＲＡＭ２７４に適宜展開しこれを実行することにより、クライアント端末２に対して音楽データを配信するための処理を行う。
【０３８９】
例えば音楽データ配信サーバＳＶ１のＣＰＵ２７０は、クライアント端末２からネットワークＮＴ及びネットワークインタフェース２７５を順次介して音楽データが要求されると、ハードディスクドライブ２７２に記憶されている当該音楽データを読み出して、これをクライアント端末２に対して送信するようになされている。
【０３９０】
すなわちかかるハードウェア回路ブロック構成の音楽データ配信サーバＳＶ１でも、図５について上述した機能回路ブロック構成の音楽データ配信サーバＳＶ１の機能に応じて、ＲＯＭ２７１又はハードディスクドライブ２７２に記憶させる各種プログラムを適宜選定することにより、ＣＰＵ２７０を当該音楽データ配信サーバＳＶ１の制御部７０、通信制御部７２、認証処理部７５及び検索部７９と同様に機能させることができると共に、ハードディスクドライブ２７２をその音楽データ配信サーバＳＶ１の顧客データベース部７４、ページ情報記憶部７６、認証情報記憶部７７及び音楽データ記憶部７８と同様に用いることができる。
【０３９１】
（１−１１）物販サーバの構成
図１８に示す物販サーバＳＶ２は、全体を統括的に制御するＣＰＵ２８０が、ＲＯＭ２８１又はハードディスクドライブ２８２に記憶されている基本プログラムや各種プログラムを、バス２８３を介してＲＡＭ２８４に適宜展開しこれを実行することにより、物販サービスを提供するための処理を行う。
【０３９２】
例えば物販サーバＳＶ２のＣＰＵ２８０は、クライアント端末２からネットワークＮＴ及びネットワークインタフェース２８５を順次介して例えば音楽ＣＤを販売するように要求されると、クライアント端末２のユーザに対して当該音楽ＣＤを販売するための処理を実行するようになされている。
【０３９３】
すなわちかかるハードウェア回路ブロック構成の物販サーバＳＶ２でも、図６について上述した機能回路ブロック構成の物販サーバＳＶ２の機能に応じて、ＲＯＭ２８１又はハードディスクドライブ２８２に記憶させる各種プログラムを適宜選定することにより、ＣＰＵ２８０を当該物販サーバＳＶ２の制御部９０、通信制御部９２、認証処理部９５及び検索部９９と同様に機能させることができると共に、ハードディスクドライブ２８２をその物販サーバＳＶ２の顧客データベース部９４、ページ情報記憶部９６、認証情報記憶部９７及びパッケージメディア情報記憶部９８と同様に用いることができる。
【０３９４】
（１−１２）ラジオ放送情報配信サーバの構成
図１９に示すラジオ放送情報配信サーバＳＶ３は、全体を統括的に制御するＣＰＵ２９０が、ＲＯＭ２９１又はハードディスクドライブ２９２に記憶されている基本プログラムや各種プログラムを、バス２９３を介してＲＡＭ２９４に適宜展開しこれを実行することにより、ラジオ放送情報配信サービスを提供するための処理を行う。
【０３９５】
例えばこのラジオ放送情報配信サーバＳＶ３のハードディスクドライブ２９２には、既に放送されたラジオ番組についての情報を表したオンエアリスト情報や、現在放送されているラジオ番組についての情報を表したナウオンエア情報等が記憶されている。
【０３９６】
ラジオ放送情報配信サーバＳＶ３のＣＰＵ２９０は、クライアント端末２から、ネットワークＮＴ及びネットワークインタフェース２９５を順次介して、オンエアリスト情報又はナウオンエア情報を要求する要求信号を受信すると、当該要求信号に応じてハードディスクドライブ２９２からオンエアリスト情報又はナウオンエア情報を読み出し、これをネットワークインタフェース２９５を介してクライアント端末２に対して送信するようになされている。
【０３９７】
すなわちかかるハードウェア回路ブロック構成のラジオ放送情報配信サーバＳＶ３でも、図７について上述した機能回路ブロック構成のラジオ放送情報配信サーバＳＶ３の機能に応じて、ＲＯＭ２９１又はハードディスクドライブ２９２に記憶させる各種プログラムを適宜選定することにより、ＣＰＵ２９０を当該ラジオ放送情報配信サーバＳＶ３の制御部１１０、通信制御部１１２、認証処理部１１５及び検索部１１８と同様に機能させることができると共に、ハードディスクドライブ２９２をそのラジオ放送情報配信サーバＳＶ３の顧客データベース部１１４、ページ情報記憶部１１６、オンエアリスト情報記憶部１１７、ナウオンエア情報記憶部１１９及び認証情報記憶部１２０と同様に用いることができる。
【０３９８】
（１−１３）ラジオ放送情報データベースの構成
ところで、実際上ラジオ放送情報配信サーバＳＶ３は、それぞれ対応するラジオ局で管理され、そのラジオ局で放送されるラジオ番組についてのナウオンエア情報及びオンエアリスト情報を、ハードディスクドライブ２９２（図１９）に構築してあるラジオ放送情報データベースで管理するようになされている。
【０３９９】
ここでこのラジオ放送情報データベースの構成を図２０に示す。
【０４００】
このラジオ放送情報データベースは、ナウオンエア情報を管理するための放送中番組テーブルＴＢ１、オンエアリスト情報を管理するための放送済楽曲テーブルＴＢ２及び放送済番組テーブルＴＢ３で構成されている。
【０４０１】
放送中番組テーブルＴＢ１には、ラジオ放送情報配信サーバＳＶ３に対応するラジオ局の局名、当該ラジオ局で今現在放送中のラジオ番組の放送時間（日付、開始時刻及び終了時刻）、番組タイトル、出演者（ＤＪ（Ｄｉｓｋ  Ｊｏｃｋｅｙ））名、当該ラジオ番組内で今現在流されている楽曲の放送開始時刻（日付を含む）、楽曲タイトル、この楽曲のアーティスト名及びジャンルからなるナウオンエア情報が格納されている。
【０４０２】
すなわち放送中番組テーブルＴＢ１には、今現在放送中のラジオ番組及びその番組内で放送されている楽曲に関するナウオンエア情報が格納されるようになされている。
【０４０３】
また放送済楽曲テーブルＴＢ２には、対応するラジオ局の局名、当該ラジオ局のラジオ番組内で楽曲が放送された時刻（日付及び開始時刻）、楽曲タイトル、この楽曲のアーティスト名及びジャンルからなるオンエアリスト情報が蓄積されている。
【０４０４】
すなわち放送済楽曲テーブルＴＢ２には、ラジオ番組内で放送された楽曲に関するオンエアリスト情報が蓄積されるようになされている。
【０４０５】
また放送済番組テーブルＴＢ３には、対応するラジオ局の局名、当該ラジオ局で放送されたラジオ番組の放送時間（日付、開始時刻及び終了時刻）、番組タイトル、出演者（ＤＪ）名からなるオンエアリスト情報が蓄積されている。
【０４０６】
すなわち放送済番組テーブルＴＢ３には、放送されたラジオ番組に関するオンエアリスト情報が蓄積されるようになされている。
【０４０７】
実際上、ラジオ放送情報配信サーバＳＶ３のＣＰＵ２９０（図１９）は、対応するラジオ局から現在の放送状況（ラジオ番組の開始や終了、ラジオ番組内で流される楽曲の開始や終了等）が通知されると、図２１に示すように、その放送状況をもとに放送中番組テーブルＴＢ１の内容を更新する。
【０４０８】
すなわち、ラジオ番組が終了して次のラジオ番組に切り替わったときや、ラジオ番組内で放送されている楽曲が次の楽曲に切り替わったとき等のタイミングで、放送中番組テーブルＴＢ１に格納されているナウオンエア情報を更新する。
【０４０９】
従って放送中番組テーブルＴＢ１には、今現在の放送状況に合わせたほぼリアルタイムなナウオンエア情報が格納される。
【０４１０】
なお、ラジオ番組内で楽曲が流れていないとき等には、この放送中番組テーブルＴＢ１に、例えば現在楽曲が放送されていないことを示すヌルデータを格納しておくようにしてもよいし、直前に放送されていた楽曲のナウオンエア情報を次に楽曲が放送されるまでそのまま格納しておくようにしてもよい。
【０４１１】
そしてＣＰＵ２９０は、クライアント端末２からナウオンエア情報の取得要求を受け付けると、この放送中番組テーブルＴＢ１に格納されているナウオンエア情報をネットワークインタフェース２９５を介してクライアント端末２に送信するようになされている。
【０４１２】
またＣＰＵ２９０は、ラジオ番組内で流される楽曲の放送終了後、所定時間（例えば数分）経過後、図２２に示すように放送済楽曲テーブルＴＢ２に当該楽曲に関するオンエアリスト情報を追加する。
【０４１３】
さらにＣＰＵ２９０は、ラジオ番組の放送終了後、所定時間（例えば数分）経過後、図２３に示すように放送済番組テーブルＴＢ３に当該ラジオ番組に関するオンエアリスト情報を追加する。
【０４１４】
そしてＣＰＵ２９０は、クライアント端末２から所定期間分（例えば前日分）のオンエアリスト情報の取得要求を受け付けると、図２４に示すように、放送済楽曲テーブルＴＢ２における放送時刻と、放送済番組テーブルＴＢ３の放送時間とを関連付けることにより、これら２つのテーブルに格納されたオンエアリスト情報を関連付けし、この中から前日分のオンエアリスト情報を抽出してネットワークインタフェース２９５を介してクライアント端末２に送信する。
【０４１５】
従ってこの場合、クライアント端末２に送信されるオンエアリスト情報は、前日に各ラジオ番組及び各ラジオ番組内で放送された各楽曲に関するリストとなる。
【０４１６】
このようにラジオ放送情報配信サーバＳＶ３は、対応するラジオ局で放送されるラジオ番組の番組タイトルや、当該ラジオ番組の放送時間、出演者（ＤＪ）名といったラジオ番組の概要となる情報だけでなく、そのラジオ番組内で流される楽曲の楽曲タイトルや、当該楽曲の放送開始時刻、アーティスト名といったラジオ番組の詳細となる情報も含んだナウオンエア情報やオンエアリスト情報を記憶管理しており、クライアント端末２からの要求に応じてこれらを配信するようになされている。
【０４１７】
（１−１４）オンエアリスト情報又はナウオンエア情報を用いた番組録音機能
本実施の形態におけるクライアント端末２においては、ラジオ放送情報配信サーバＳＶ３から受信するオンエアリスト情報やナウオンエア情報をもとにラジオ番組の番組表を生成し、この番組表を用いてラジオ番組を録音する番組録音機能を有している。
【０４１８】
実際上、この番組録音機能における番組録音処理は、オンエアリスト情報又はナウオンエア情報をもとに番組表を生成する番組表生成処理と、この番組表を用いてラジオ番組の録音予約を行う録音予約処理とに分かれており、以下それぞれの処理について順に説明する。
【０４１９】
なお、以下の説明においては図２５、図２８及び図２９に示すように、一例としてクライアント端末２が、自端末にプリセットされた３局のラジオ局に対応するラジオ放送情報配信サーバＳＶ３１、ＳＶ３２、ＳＶ３３にアクセスする場合について述べるが、実際上、プリセットされるラジオ局は端末毎に異なるので、この限りではない。
【０４２０】
また、この番組表生成処理においては、クライアント端末２がラジオ放送情報配信サーバＳＶ３（ＳＶ３１、ＳＶ３２及びＳＶ３３）からオンエアリスト情報やナウオンエア情報を取得するようになされているが、この場合の取得方法及び認証方法については上述したので、その説明を省略する。
【０４２１】
（１−１４−１）番組表生成処理
この番組表生成処理においては、オンエアリスト情報をもとに番組表を生成する場合と、ナウオンエア情報をもとに番組表を生成する場合とがあり、まずオンエアリスト情報をもとに番組表を生成する場合について図２５を用いて説明する。
【０４２２】
因みに、この番組表生成処理は、クライアント端末２とラジオ放送情報配信サーバＳＶ３１、ＳＶ３２、ＳＶ３３との処理シーケンスでなり、クライアント端末２のＣＰＵ２０３及びラジオ放送情報配信サーバＳＶ３１、ＳＶ３２、ＳＶ３３それぞれのＣＰＵ２９０によって実行されるものである。
【０４２３】
クライアント端末２は、自身に内蔵されたタイマー回路（図示せず）から得られる現在時刻に基づき、予め設定されたオンエアリスト情報を受信する時刻（例えば午前１：００）になったことを認識すると、ステップＳＰ１００において、まずラジオ放送情報配信サーバＳＶ３１に対して前日分のオンエアリスト情報を要求するための要求信号を送信する。
【０４２４】
ラジオ放送情報配信サーバＳＶ３１は、クライアント端末２から送信された要求信号を受信すると、ステップＳＰ１０１において、前日分のオンエアリスト情報を自身のラジオ放送情報データベースから抽出し、これをクライアント端末２に送信する。
【０４２５】
クライアント端末２は、ラジオ放送情報配信サーバＳＶ３１から送信された前日分のオンエアリスト情報を受信すると、ステップＳＰ１０２において、これをハードディスクドライブ２１１に予め構築してあるオンエアリスト情報データベースＯＤＢ（図２６に示す）に蓄積し、次のステップＳＰ１０３に移る。
【０４２６】
ステップＳＰ１０３においてクライアント端末２は、続いてラジオ放送情報配信サーバＳＶ３２に対して前日分のオンエアリスト情報を要求するための要求情報を送信する。
【０４２７】
ラジオ放送情報配信サーバＳＶ３２は、クライアント端末２から送信された要求信号を受信すると、ステップＳＰ１０４において、前日分のオンエアリスト情報を自身のラジオ放送情報データベースから抽出し、これをクライアント端末２に送信する。
【０４２８】
クライアント端末２は、ラジオ放送情報配信サーバＳＶ３２から送信された前日分のオンエアリスト情報を受信すると、ステップＳＰ１０５において、これをオンエアリスト情報データベースＯＤＢに蓄積し、次のステップＳＰ１０６に移る。
【０４２９】
ステップＳＰ１０６においてクライアント端末２は、さらにラジオ放送情報配信サーバＳＶ３３に対して前日分のオンエアリスト情報を要求するための要求信号を送信する。
【０４３０】
ラジオ放送情報配信サーバＳＶ３３は、クライアント端末２から送信された要求信号を受信すると、ステップＳＰ１０７において、前日分のオンエアリスト情報を自身のラジオ放送情報データベースから抽出し、これをクライアント端末２に送信する。
【０４３１】
クライアント端末２は、ラジオ放送情報配信サーバＳＶ３３から送信された前日分のオンエアリスト情報を受信すると、ステップＳＰ１０８において、これをオンエアリスト情報データベースＯＤＢに蓄積し、次のステップＳＰ１０９に移る。
【０４３２】
このようにしてクライアント端末２は、プリセットされたラジオ局に対応するラジオ放送情報配信サーバＳＶ３１、ＳＶ３２、ＳＶ３３の全てから前日分のオンエアリスト情報を受信し、これをオンエアリスト情報データベースＯＤＢに蓄積するようになされており、この結果、オンエアリスト情報データベースＯＤＢには、プリセットされたラジオ局で前日に放送されたラジオ番組及び当該ラジオ番組内で流された楽曲に関するオンエアリスト情報が蓄積される。
【０４３３】
ステップＳＰ１０９においてクライアント端末２は、図２７に示すように、オンエアリスト情報データベースＯＤＢに蓄積されたオンエアリスト情報をラジオ番組の番組タイトル及び放送時間毎にまとめることによりラジオ番組の番組表となるデータ（以下、これを番組表データとも呼ぶ）ＰＤを生成し、これをハードディスクドライブ２１１に記録する。
【０４３４】
この場合この番組表データＰＤには、プリセットされているラジオ局で放送されたラジオ番組の概要となる番組タイトルや、その放送時間、出演者（ＤＪ）名に加えて、当該ラジオ番組の詳細となるラジオ番組内で放送された楽曲の楽曲タイトルや、その放送開始時刻、アーティスト名等が含まれる。
【０４３５】
このようにして番組表データＰＤを生成した後、クライアント端末２は、再びステップＳＰ１００に戻り、ステップＳＰ１００〜ステップＳＰ１０８の処理を、例えば１週間繰り返すことにより、１日毎に番組表データＰＤを更新して１週間分の番組表データＰＤを生成する。
【０４３６】
かくしてクライアント端末２は、オンエアリスト情報をもとにして、プリセットされているラジオ局で過去１週間に放送されたラジオ番組の番組表となる番組表データＰＤを生成し得るようになされている。
【０４３７】
続いてナウオンエア情報をもとに番組表を生成する場合について図２８及び図２９を用いて説明する。
【０４３８】
なお、クライアント端末２は、所定の時間間隔（以下、これをポーリング間隔と呼び、例えば３０秒に設定されている）毎にラジオ放送情報配信サーバＳＶ３（ＳＶ３１、ＳＶ３２、ＳＶ３３）に対してナウオンエア情報を要求するようになされている。
【０４３９】
クライアント端末２は、例えば電源が投入されるとステップＳＰ１２０において、まずラジオ放送情報配信サーバＳＶ３１に対してナウオンエア情報を要求するための要求信号を送信すると共に、このときの時刻をＲＡＭ２０５に記録する。
【０４４０】
ラジオ放送情報配信サーバＳＶ３１は、クライアント端末２から送信された要求情報を受信すると、ステップＳＰ１２１において、ナウオンエア情報をラジオ放送情報データベースから抽出し、これをクライアント端末２に送信する。
【０４４１】
クライアント端末２は、ラジオ放送情報配信サーバＳＶ３１から送信されたナウオンエア情報を受信すると、ステップＳＰ１２２において、この受信したナウオンエア情報と、前回ラジオ放送情報配信サーバＳＶ３１から受信したナウオンエア情報とを比較し、異なっているか否かを判断する。
【０４４２】
ここで否定結果を得ると、このことはラジオ放送情報配信サーバＳＶ３１に対応するラジオ局において、現時点と前回（３０秒前）とで放送されているラジオ番組又は楽曲が切り替わっていないことにより、前回受信したナウオンエア情報と今回受信したナウオンエア情報とが同じであることを表しており、このときクライアント端末２は、ステップＳＰ１２４に移る。
【０４４３】
これに対してこのステップＳＰ１２２において肯定結果を得ると、このことはラジオ放送情報配信サーバＳＶ３１に対応するラジオ局において、現時点と前回（３０秒前）とで放送されているラジオ番組又は楽曲が切り替わったことにより、前回受信したナウオンエア情報と今回受信したナウオンエア情報とが異なっていることを表しており、このときクライアント端末２は、ステップＳＰ１２３に移る。
【０４４４】
因みに、例えば電源投入後、初めてナウオンエア情報を受信した際には、比較対象となるナウオンエア情報が存在しないので、この場合もステップＳＰ１２２で肯定結果を得る。
【０４４５】
ステップＳＰ１２３においてクライアント端末２は、今回受信したナウオンエア情報を、ハードディスクドライブ２１１に予め構築してあるナウオンエア情報データベースＮＯＤＢ（図２６）に追加し、次のステップＳＰ１２４に移る。
【０４４６】
因みに、この場合のナウオンエア情報データベースＮＯＤＢの構成は、上述のオンエアリスト情報データベースＯＤＢの構成と同一である。
【０４４７】
このようにクライアント端末２においては、ラジオ放送情報配信サーバＳＶ３１から受信したナウオンエア情報を、前回ラジオ放送情報配信サーバＳＶ３１から受信したナウオンエア情報と比較し、異なっていた場合（すなわち放送されているラジオ番組又は楽曲が切り替わった場合）にのみナウオンエア情報データベースＮＯＤＢに追加して蓄積するようになされている。
【０４４８】
ステップＳＰ１２４においてクライアント端末２は、続いてラジオ放送情報配信サーバＳＶ３２に対してナウオンエア情報を要求するための要求信号を送信する。
【０４４９】
ラジオ放送情報配信サーバＳＶ３２は、クライアント端末２から送信された要求情報を受信すると、ステップＳＰ１２５において、ナウオンエア情報をラジオ放送情報データベースから抽出し、これをクライアント端末２に送信する。
【０４５０】
クライアント端末２は、ラジオ放送情報配信サーバＳＶ３２から送信されたナウオンエア情報を受信すると、ステップＳＰ１２６において、この受信したナウオンエア情報と、前回ラジオ放送情報配信サーバＳＶ３２から受信したナウオンエア情報とを比較し、異なっているか否かを判断する。
【０４５１】
そしてステップＳＰ１２２、ＳＰ１２３の場合と同様に、ラジオ放送情報配信サーバＳＶ３２から今回受信したナウオンエア情報が、前回受信したナウオンエア情報と異なっている場合にのみステップＳＰ１２７に移って、今回受信したナウオンエア情報をナウオンエア情報データベースＮＯＤＢに追加し、次のステップＳＰ１２８に移る。
【０４５２】
ステップＳＰ１２８においてクライアント端末２は、さらにラジオ放送情報配信サーバＳＶ３３に対してナウオンエア情報を要求するための要求信号を送信する。
【０４５３】
ラジオ放送情報配信サーバＳＶ３３は、クライアント端末２から送信された要求信号を受信すると、ステップＳＰ１２９において、ナウオンエア情報をラジオ放送情報データベースから抽出し、これをクライアント端末２に送信する。
【０４５４】
クライアント端末２は、ラジオ放送情報配信サーバＳＶ３３から送信されたナウオンエア情報を受信すると、ステップＳＰ１３０（図２９において、この受信したナウオンエア情報と、前回ラジオ放送情報配信サーバＳＶ３３から受信したナウオンエア情報とを比較し、異なっているか否かを判断する。
【０４５５】
そしてステップＳＰ１２６、ＳＰ１２７の場合と同様に、ラジオ放送情報配信サーバＳＶ３３から今回受信したナウオンエア情報が、前回受信したナウオンエア情報と異なっている場合にのみステップＳＰ１３１に移って、今回受信したナウオンエア情報をナウオンエア情報データベースＮＯＤＢに追加し、次のステップＳＰ１３２に移る。
【０４５６】
ステップＳＰ１３２においてクライアント端末２は、ＲＡＭ２０５に保持した時刻をもとに、最初にナウオンエア情報を要求してから所定時間（例えば１時間）経過したか否かを判断する。
【０４５７】
ここで否定結果を得ると、クライアント端末２は再びステップＳＰ１２０に戻り、１時間経過するまで、ステップＳＰ１２０〜ステップＳＰ１３２までの処理を繰り返し行うことにより、プリセットされている各ラジオ局で過去１時間に放送されたラジオ番組及び楽曲に関するナウオンエア情報をナウオンエア情報データベースＮＯＤＢに蓄積する。
【０４５８】
このようにしてクライアント端末２は、プリセットされたラジオ局に対応するラジオ放送情報配信サーバＳＶ３１、ＳＶ３２、ＳＶ３３の全てからポーリング間隔毎にナウオンエア情報を受信し、受信したナウオンエア情報が前回受信したナウオンエア情報と異なっていた場合にのみ、これをナウオンエア情報データベースＮＯＤＢに追加するようになされており、この結果、このナウオンエア情報データベースＮＯＤＢには、上述のオンエアリスト情報データベースＯＤＢとほぼ等しい情報が蓄積される。
【０４５９】
そして１時間経過することにより、このステップＳＰ１３２で肯定結果を得ると、クライアント端末２は、次のステップＳＰ１３３に移り、ナウオンエア情報データベースＮＯＤＢに蓄積されたナウオンエア情報をラジオ番組の番組タイトル及び放送時間毎にまとめることによりラジオ番組の番組表となる番組表データＰＤ（図２７）を生成してハードディスクドライブ２１１に記録する。
【０４６０】
このようにして番組表データＰＤを生成した後、クライアント端末２は、再びステップＳＰ１２０に戻り、ステップＳＰ１２０〜ステップＳＰ１３３の処理を、例えば１週間繰り返すことにより、１時間毎に番組表データＰＤを更新して１週間分の番組表データＰＤを生成する。
【０４６１】
かくしてクライアント端末２は、オンエアリスト情報をもとにする場合と同様にナウオンエア情報をもとにして、プリセットされているラジオ局で過去１週間に放送されたラジオ番組の詳細な番組表となる番組表データＰＤを生成し得るようになされている。
【０４６２】
（１−１４−２）録音予約処理
続いて番組表生成処理で生成した番組表データＰＤを利用してユーザの所望するラジオ番組を録音予約する録音予約処理について図３０を用いて説明する。
【０４６３】
クライアント端末２は、操作入力部２００を介して録音予約命令が入力されたことを認識すると、録音予約処理手順ＲＴ１を実行し、ステップＳＰ１４０においてハードディスクドライブ２１１から番組表データＰＤを読み出して、この番組表データＰＤに基づく番組表画面３００（図３１）をディスプレイ２０６に表示し、次のステップＳＰ１４１に移る。
【０４６４】
この番組表画面３００は、ユーザが録音したいラジオ番組を選択するための画面であり、横軸（すなわち行）をプリセットされているラジオ局名とし、縦軸（すなわち列）を放送時間（日付を含む）とする番組表３０１で構成されている。
【０４６５】
この番組表３０１には、番組表データＰＤに基づいて、過去１週間に放送されたラジオ番組の番組タイトルが、その番組の放送時間及び出演者（ＤＪ）名、当該ラジオ番組内で放送された楽曲の楽曲タイトル、その楽曲の放送開始時刻及びアーティスト名と共に、当該番組表３０１上の対応するラジオ局名（行）及び放送時間（列）の位置に表示されるようになされている。
【０４６６】
従ってクライアント端末２は、このような番組表画面３００をディスプレイ２０６に表示することにより、放送されたラジオ番組の概要となる番組タイトルや放送時間、出演者（ＤＪ）名だけでなく、当該ラジオ番組の詳細となるラジオ番組内で放送された楽曲の楽曲タイトルや、その楽曲の放送開始時刻、アーティスト名等もユーザに呈示することができる。
【０４６７】
さらにこの番組表３０１上における各番組タイトルの表示位置の横には、それぞれそのラジオ番組の録音を予約するためのチェックボックスＣＢが設けられている。
【０４６８】
これによりユーザは、操作入力部２００で操作可能な図示しないカーソルで所望のラジオ番組に対応するチェックボックスＣＢを選択して、録音予約するラジオ番組を選択することができる。
【０４６９】
クライアント端末２は、ステップＳＰ１４１において、一以上のラジオ番組が選択された状態で番組表画面３００上の設定ボタンＰＢが押下されたことを認識すると、選択されたラジオ番組の番組タイトル、ラジオ局名、放送開始時刻及び放送終了時刻を対応付けた情報（以下、これを録音予約情報と呼ぶ）をハードディスクドライブ２１１に記録して、次のステップＳＰ１４２に移る。
【０４７０】
ステップＳＰ１４２においてクライアント端末２は、録音予約情報に基づいて、録音予約したラジオ番組の放送開始時刻になるまで待ち受け、そのラジオ番組の放送開始時刻になったことを認識すると、次のステップＳＰ１４３に移る。
【０４７１】
ステップＳＰ１４３においてクライアント端末２は、録音予約したラジオ番組を放送するラジオ局の周波数にチューナ２１３を合わせて当該ラジオ局で放送されるラジオ番組の録音を開始し、次のステップＳＰ１４４に移る。
【０４７２】
ステップＳＰ１４４においてクライアント端末２は、録音しているラジオ番組の放送終了時刻になるまで待ち受け、そのラジオ番組の放送終了時刻になったことを認識すると、次のステップＳＰ１４５に移る。
【０４７３】
ステップＳＰ１４５においてクライアント端末２は、ラジオ番組の録音を停止し、ラジオ番組を録音することにより得られた音声データを当該ラジオ番組に対応するコンテンツデータとしてハードディスクドライブ２１１に保存して次のステップＳＰ１４６に移る。
【０４７４】
ステップＳＰ１４６においてクライアント端末２は、録音予約情報に基づいて、録音予約した全てのラジオ番組の録音が終了したか否かを判断する。
【０４７５】
ここで否定結果を得ると、クライアント端末２は再びステップＳＰ１４２に戻り、録音予約した全てのラジオ番組の録音が終了するまで、ステップＳＰ１４２〜ステップＳＰ１４６の処理を繰り返す。
【０４７６】
そして、録音予約した全てのラジオ番組の録音が終了することによりこのステップＳＰ１４６で肯定結果を得ると、クライアント端末２は、次のステップＳＰ１４７に移って録音予約処理を終了する。
【０４７７】
（１−１５）動作及び効果
以上の構成においてクライアント端末２は、プリセットされたラジオ局に対応するラジオ放送情報配信サーバＳＶ３１、ＳＶ３２、ＳＶ３３から、対応するラジオ局で放送されたラジオ番組の番組タイトル、その番組の放送時間、出演者（ＤＪ）名等の番組概要と、ラジオ番組内で放送された楽曲の楽曲タイトル、その楽曲の放送開始時刻、アーティスト名等の番組詳細とを含むオンエアリスト情報又はナウオンエア情報を受信し、これらをもとに番組表データＰＤを生成する。
【０４７８】
そして、クライアント端末２は、この番組表データＰＤに基づく番組表画面３００をディスプレイ２０６に表示して、この番組表画面３００上で録音したいラジオ番組をユーザに選択させる。
【０４７９】
これによりクライアント端末２は、プリセットされたラジオ局で放送されたラジオ番組の概要及び詳細をユーザに呈示して、録音したいラジオ番組を選択させることができる。
【０４８０】
以上の構成によれば、ラジオ番組の番組タイトル、そのラジオ番組の放送時間、出演者（ＤＪ）名等の番組概要と、ラジオ番組内で放送された楽曲の楽曲タイトル、その楽曲の放送開始時刻、アーティスト名等の番組詳細とを含むオンエアリスト情報又はナウオンエア情報を受信し、これらをもとに番組表データＰＤを生成するようにしたことにより、ラジオ番組の概要及び詳細を含む番組表データＰＤを番組表画面３００としてユーザに呈示して録音対象とするラジオ番組を選択させることができ、かくして録音対象とするラジオ番組を一段と的確に選択させることができる。
【０４８１】
また本実施のクライアント端末２によれば、そもそも番組表を生成するための情報ではないオンエアリスト情報やナウオンエア情報を利用して番組表データＰＤを生成するようにしたことにより、番組表データが提供されていないラジオ番組等であっても、この番組表データＰＤに基づく番組表画面３００をユーザに呈示することができるので、この番組表画面３００を利用してラジオ番組の録音を容易に行うことができる。
【０４８２】
（２）他の実施の形態
なお上述の実施の形態においては、過去１週間分の番組表となる番組表データＰＤを生成するようにした場合について述べたが、本発明はこれに限らず、例えば過去１ヶ月分の番組表データＰＤを生成してもよいし、操作入力部２００を介してユーザに放送期間を指定させて、この放送期間の番組表データＰＤを生成するようにしてもよい。
【０４８３】
この場合、例えば過去１ヶ月分の番組表データＰＤを生成して、当該番組表データＰＤに基づく番組表画面３００をディスプレイ２０６に表示すれば、各ラジオ番組で過去１ヶ月にどのような楽曲が放送されていたのかをユーザに呈示することができる。
【０４８４】
これによりユーザは、各ラジオ番組の過去１ヶ月の放送実績及び放送傾向の詳細を把握することができ、これらをもとに録音するラジオ番組を的確に選択することができる。
【０４８５】
また上述の実施の形態においては、番組表データＰＤを１日毎（オンエアリスト情報を利用する場合）、又は１時間毎（ナウオンエア情報を利用する場合）に更新するようにした場合について述べたが、本発明はこれに限らず、所定の時間間隔毎に更新するようにしてもよい。
【０４８６】
この場合、この所定の時間間隔を予めクライアント端末２に設定しておいてもよいし、ユーザが指定できるようにしてもよい。
【０４８７】
さらに上述の実施の形態においては、プリセットされたラジオ局に対応するラジオ放送情報配信サーバＳＶ３（ＳＶ３１、ＳＶ３２、ＳＶ３３）に対して、オンエアリスト情報やナウオンエア情報を要求する要求情報としての要求信号を送信するようにした場合について述べたが、本発明はこれに限らず、プリセットされたラジオ局の中から、操作入力部２０を介してユーザに所望のラジオ局を指定させ、この指定されたラジオ局に対応するラジオ放送情報配信サーバＳＶ３にのみオンエアリスト情報やナウオンエアを要求するための要求情報を送信するようにしてもよい。
【０４８８】
これによりユーザが全く興味を持っていないラジオ局については、番組表生成処理の対象から外して、無駄な処理を低減することもできる。
【０４８９】
また上述の実施の形態においては、外部装置としてのラジオ放送情報配信サーバＳＶ３（ＳＶ３１、ＳＶ３２、ＳＶ３３）から配信されるリスト情報としてのオンエアリスト情報や、放送中情報としてのナウオンエア情報をもとに番組表データＰＤを生成するようにした場合について述べたが、本発明はこれに限らず、ラジオ局で放送されるラジオ番組の概要や詳細を示す情報（以下、これを番組情報とも呼ぶ）であれば、この他種々の番組情報をもとに番組表データＰＤを生成するようにしてもよい。
【０４９０】
例えばオンエアリスト情報やナウオンエア情報のような音楽番組のコンテンツとなる楽曲に関する番組情報ばかりでなく、例えば報道番組のコンテンツとなるニュース（例えば、経済ニュース、芸能ニュース、スポーツニュース等）に関する番組情報をラジオ放送情報配信サーバＳＶ３から受信し、これらをもとに番組表データＰＤを生成するようにしてもよい。
【０４９１】
さらに上述の実施の形態においては、ラジオ番組を録音するようにした場合について述べたが、本発明はこれに限らず、例えばテレビジョン番組の概要及び詳細を示す番組情報を配信するサーバから、この番組情報を受信し、当該番組情報をもとにテレビジョン番組を録画するようにしてもよい。
【０４９２】
この場合でも、記録する対象が音声から映像に変わっただけであるので、上述の番組録音処理とほぼ同様の手順で録画できる。
【０４９３】
これにより、テレビジョン番組の概要及び詳細をユーザに呈示して録画対象とするテレビジョン番組を選択させることができ、かくして電子番組ガイド情報を利用する場合よりも録画対象とするテレビジョン番組を一段と的確に選択させることができる。
【０４９４】
さらに上述の実施の形態においては、クライアント端末２が１基のチューナ２１３を有している場合について述べたが、本発明はこれに限らず、例えば複数のチューナを有するようにしてもよい。
【０４９５】
この場合、表示部としてのディスプレイ２０６に表示した番組表画面３００上で、同じ時間帯のラジオ番組が複数選択されたとしても、複数のチューナでそれぞれのラジオ番組の番組音声を同時に録音することができ、録音時の利便性を一段と向上することができる。
【０４９６】
さらに上述の実施の形態においては、クライアント端末２が、ポータルサーバ３にコールサインを送信して、当該ポータルサーバ３から、そのコールサインに対応するラジオ局で放送されるラジオ番組についてのナウオンエア情報及びオンエアリスト情報を配信するラジオ放送情報配信サーバＳＶ３のアドレスを取得するようにした場合について述べたが、本発明はこれに限らず、例えば、ナウオンエア情報及びオンエアリスト情報を配信するラジオ放送情報配信サーバＳＶ３のアドレスを配信するサーバを別途設け、当該サーバからコールサインに基づくアドレスを受信するようにしてもよい。
【０４９７】
さらに上述の実施の形態においては、ラジオ番組の番組音声を録音するための記憶媒体としてハードディスクドライブ２１１を用いるようにした場合について述べたが、本発明はこれに限らず、フラッシュメモリやＣＤ−Ｒ（Ｃｏｍｐａｃｔ  Ｄｉｓｋ  Ｒｅｃｏｒｄａｂｌｅ）、ＤＶＤ−Ｒ（Ｄｉｇｉｔａｌ  Ｖｅｒｓａｔｉｌｅ  Ｄｉｓｋ  Ｒｅｃｏｒｄａｂｌｅ）等を記憶媒体として用いるようにしてもよい。
【０４９８】
さらに上述の実施の形態においては、ラジオ番組の番組音声をハードディスクドライブ２１１に録音可能なクライアント端末２に上述の番組録音機能を設けた場合について述べたが、本発明はこれに限らず、ラジオ番組を内蔵メモリに録音可能な携帯端末等、この他種々の機器に当該番組録音機能を設けるようにしてもよい。
【０４９９】
さらに上述の実施の形態においては、放送信号受信手段としてのアンテナ２１２及びチューナ２１３や、返信情報としてのオンエアリスト情報やナウオンエア情報を受信する通信手段としての通信処理部２１４及びネットワークインタフェース２１５や、記録媒体としてのハードディスクドライブ２１１に対して放送データとしての音声データを記録する記録手段、設定手段、番組表生成手段、時刻設定手段及び制御手段としてのＣＰＵ２０３によって記録装置及び情報処理装置としてのクライアント端末２を構成するようにした場合について述べたが、本発明はこれに限らず、この他種々の構成でこのクライアント端末２を構成するようにしてもよい。
【０５００】
さらに上述の実施の形態においては、クライアント端末２が受信可能な放送としてラジオ局から放送されるラジオ放送を適用したが、これに限らず、クライアント端末２がインターネットラジオ放送や衛星ラジオ放送を受信して、その関連情報（ラジオ放送情報）を取得するようにしたり、或いはテレビジョン放送局から放送されるテレビジョン放送を受信し、そのテレビジョン放送のテレビジョン番組に関する各種放送情報等をネットワーク上のサーバから取得するようにしてもよい。
【０５０１】
さらに上述の実施の形態においては、ハードウェア回路ブロック、機能回路ブロック及びプログラムモジュールをクライアント端末２に実装した場合について述べたが、本発明はこれに限らず、これらを携帯電話機やパーソナルコンピュータ等、クライアント端末２以外の種々の端末に実装するようにしてもよく、このハードウェア回路ブロック、機能回路ブロック及びプログラムモジュールを実装した端末であれば、上述したクライアント端末２と同様の処理を実現することができる。
【産業上の利用可能性】
【０５０２】
本発明は、放送番組を記録する記録装置において広く利用できる。
【図面の簡単な説明】
【０５０３】
【図１】音楽関連サービス提供システムの全体構成を示す略線図である。
【図２】クライアント端末の機能回路ブロックによる構成を示すブロック図である。
【図３】ディレクトリ構成を示す略線図である。
【図４】ポータルサーバの機能回路ブロックによる構成を示すブロック図である。
【図５】音楽データ配信サーバの機能回路ブロックによる構成を示すブロック図である。
【図６】物販サーバの機能回路ブロックによる構成を示すブロック図である。
【図７】ラジオ放送情報配信サーバの機能回路ブロックによる構成を示すブロック図である。
【図８】クライアント端末及びポータルサーバ間のユーザ認証処理手順を示すシーケンスチャートである。
【図９】クライアント端末及び音楽データ配信サーバ間のユーザ認証処理手順を示すシーケンスチャートである。
【図１０】音楽データ配信サービス提供処理手順を示すシーケンスチャートである。
【図１１】物販サービス提供処理手順を示すシーケンスチャートである。
【図１２】ラジオ放送情報（オンエアリスト情報）サービス提供処理手順を示すシーケンスチャートである。
【図１３】ラジオ放送情報（ナウオンエア情報）サービス提供処理手順を示すシーケンスチャートである。
【図１４】クライアント端末のハードウェア回路ブロックによる構成を示すブロック図である。
【図１５】クライアント端末のプログラムモジュールを示す略線図である。
【図１６】ポータルサーバのハードウェア回路ブロックによる構成を示すブロック図である。
【図１７】音楽データ配信サーバのハードウェア回路ブロックによる構成を示すブロック図である。
【図１８】物販サーバのハードウェア回路ブロックによる構成を示すブロック図である。
【図１９】ラジオ放送情報配信サーバのハードウェア回路ブロックによる構成を示すブロック図である。
【図２０】ラジオ放送情報データベースの構成を示す略線図である。
【図２１】放送中番組テーブルにおけるナウオンエア情報の更新を示す略線図である。
【図２２】放送済楽曲テーブルにおけるオンエアリスト情報の更新を示す略線図である。
【図２３】放送済番組テーブルにおけるオンエアリスト情報の更新を示す略線図である。
【図２４】放送済楽曲テーブルと放送済番組テーブルとの関連付けを示す略線図である。
【図２５】オンエアリスト情報を利用する番組表生成処理手順を示すシーケンスチャートである。
【図２６】オンエアリスト情報（ナウオンエア情報）データベースの構成を示す略線図である。
【図２７】番組表データの生成を示す略線図である。
【図２８】ナウオンエア情報を利用する番組表生成処理手順を示すシーケンスチャートである。
【図２９】図２８のナウオンエア情報を利用する番組表生成処理手順を示すシーケンスチャートに続くシーケンスチャートである。
【図３０】録音予約処理手順を示すフローチャートである。
【図３１】番組表画面の構成を示す略線図である。
【符号の説明】
【０５０４】
１……音楽関連サービス提供システム、２……クライアント端末、３……ポータルサーバ、２００……操作入力部、２０１……入力処理部、２０３……ＣＰＵ、２０４……ＲＯＭ、２０５……ＲＡＭ、２０６……ディスプレイ、２１１……ハードディスクドライブ、２１２……アンテナ、２１３……チューナ、２１４……通信処理部、２１５……ネットワークインタフェース、３００……番組表画面、ＮＴ……ネットワーク、ＰＤ……番組表データ、ＳＶ３、ＳＶ３１、ＳＶ３２、ＳＶ３３……ラジオ放送情報配信サーバ。
【図１】
0004158118.tif 000002
【図２】
0004158118.tif 000003
【図３】
0004158118.tif 000004
【図４】
0004158118.tif 000005
【図５】
0004158118.tif 000006
【図６】
0004158118.tif 000007
【図７】
0004158118.tif 000008
【図８】
0004158118.tif 000009
【図９】
0004158118.tif 000010
【図１０】
0004158118.tif 000011
【図１１】
0004158118.tif 000012
【図１２】
0004158118.tif 000013
【図１３】
0004158118.tif 000014
【図１４】
0004158118.tif 000015
【図１５】
0004158118.tif 000016
【図１６】
0004158118.tif 000017
【図１７】
0004158118.tif 000018
【図１８】
0004158118.tif 000019
【図１９】
0004158118.tif 000020
【図２０】
0004158118.tif 000021
【図２１】
0004158118.tif 000022
【図２２】
0004158118.tif 000023
【図２３】
0004158118.tif 000024
【図２４】
0004158118.tif 000025
【図２５】
0004158118.tif 000026
【図２６】
0004158118.tif 000027
【図２７】
0004158118.tif 000028
【図２８】
0004158118.tif 000029
【図２９】
0004158118.tif 000030
【図３０】
0004158118.tif 000031
【図３１】
0004158118.tif 000032